(57)【要約】本発明は、ＭＵ−ＭＩＭＯビームフォーミング設定副段階において、ＭＵ−ＭＩＭＯビームフォーミングトレーニングに参加するステーション識別情報を含むＭＩＭＯビームフォーミング設定フレームを受信し、ＭＵ−ＭＩＭＯビームフォーミングトレーニング副段階において、ＢＲＰフレームを受信し、ＭＩＭＯビームフォーミング設定フレームに含まれたステーション識別情報がＳＴＡに対応して、ＢＲＰフレームのＴＡフィールド及びＲＡフィールドがＭＩＭＯビームフォーミング設定フレームを送信した開始子のＭＡＣアドレスと同一である場合、ＢＲＰフレームを用いてＭＵ−ＭＩＭＯビームフォーミングトレーニングを実行することを含むＭＵ−ＭＩＭＯビームフォーミングトレーニング実行方法に関する。【選択図】図１８
2020528715.tif 000002
【特許請求の範囲】
【請求項１】
無線ＬＡＮ（ＷＬＡＮ）システムにおいて、ステーション（ＳＴＡ）がＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを行う方法であって、
ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを受信し、
ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＢＲＰ（Ｂｅａｍ  Ｒｅｆｉｎｅｍｅｎｔ  Ｐｒｏｔｏｃｏｌ）フレームを受信し、
前記ＭＩＭＯビームフォーミング設定フレームに含まれたステーション識別情報が前記ＳＴＡに対応して、前記ＢＲＰフレームのＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスと同一である場合、前記ＢＲＰフレームを用いてＭＵ−ＭＩＭＯビームフォーミングトレーニングを実行することを含む、ＭＵ−ＭＩＭＯビームフォーミングトレーニング実行方法。
【請求項２】
前記ステーション識別情報は、
前記ＭＵ−ＭＩＭＯビームフォーミングトレーニングに参加するステーションのグループＩＤ（ｉｄｅｎｔｉｆｉｅｒ）情報及び前記グループＩＤ情報が指示するグループ内の前記ＭＵ−ＭＩＭＯビームフォーミングトレーニングに参加するステーションの識別情報を含む、請求項１に記載のＭＵ−ＭＩＭＯビームフォーミングトレーニング実行方法。
【請求項３】
前記ＢＲＰフレームは、ＴＲＮ（Ｔｒａｉｎｉｎｇ）サブフィールドを含む、請求項１に記載のＭＵ−ＭＩＭＯビームフォーミングトレーニング実行方法。
【請求項４】
前記ＭＵ−ＭＩＭＯビームフォーミングトレーニング実行方法は、
ＭＵ−ＭＩＭＯビームフォーミングフィードバック副段階において、ＭＵ−ＭＩＭＯビームフォーミングフィードバックを要請するＭＩＭＯビームフォーミングフィードバックポールフレームを受信し、
前記ＭＩＭＯビームフォーミングフィードバックポールフレームに応答し、前記実行されたＭＵ−ＭＩＭＯビームフォーミングトレーニングに対するＭＵ−ＭＩＭＯビームフォーミングフィードバックを送信することをさらに含む、請求項１に記載のＭＵ−ＭＩＭＯビームフォーミングトレーニング実行方法。
【請求項５】
無線ＬＡＮ（ＷＬＡＮ）システムにおいて、ステーション（ＳＴＡ）がＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを支援する方法であって、
ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを送信し、
ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＳＴＡのＭＡＣ（Ｍｅｄｉｕｍ  Ａｃｃｅｓｓ  Ｃｏｎｔｒｏｌ）アドレスに設定されたＢＲＰ（Ｂｅａｍ  Ｒｅｆｉｎｅｍｅｎｔ  Ｐｒｏｔｏｃｏｌ）フレームを送信することを含む、ＭＵ−ＭＩＭＯビームフォーミングトレーニング支援方法。
【請求項６】
前記ステーション識別情報は、
前記ＭＵ−ＭＩＭＯビームフォーミングトレーニングに参加するステーションのグループＩＤ（ｉｄｅｎｔｉｆｉｅｒ）情報及び前記グループＩＤ情報が指示するグループ内の前記ＭＵ−ＭＩＭＯビームフォーミングトレーニングに参加するステーションの識別情報を含む、請求項５に記載のＭＵ−ＭＩＭＯビームフォーミングトレーニング支援方法。
【請求項７】
前記ＢＲＰフレームは、ＴＲＮ（Ｔｒａｉｎｉｎｇ）サブフィールドを含む、請求項５に記載のＭＵ−ＭＩＭＯビームフォーミングトレーニング支援方法。
【請求項８】
前記ＭＵ−ＭＩＭＯビームフォーミングトレーニング支援方法は、
ＭＵ−ＭＩＭＯビームフォーミングフィードバック副段階において、ＭＵ−ＭＩＭＯビームフォーミングフィードバックを要請するＭＩＭＯビームフォーミングフィードバックポールフレームを送信し、
前記ＭＩＭＯビームフォーミングフィードバックポールフレームに応答し、１つ以上の応答子（ｒｅｓｐｏｎｄｅｒ）から先行されたＭＵ−ＭＩＭＯビームフォーミングトレーニングに対するＭＵ−ＭＩＭＯビームフォーミングフィードバックを送信することをさらに含む、請求項５に記載のＭＵ−ＭＩＭＯビームフォーミングトレーニング支援方法。
【請求項９】
無線ＬＡＮ（ＷＬＡＮ）システムにおいて、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを行うステーション装置であって、
１つ以上のＲＦ（Ｒａｄｉｏ  Ｆｒｅｑｕｅｎｃｙ）チェーンを有して、他のステーション装置と信号を送受信するように構成される送受信部と、
前記送受信部と接続して、前記他のステーション装置と送受信した信号を処理するプロセッサーを含み、
前記プロセッサーは、
ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを受信し、
ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＢＲＰ（Ｂｅａｍ  Ｒｅｆｉｎｅｍｅｎｔ  Ｐｒｏｔｏｃｏｌ）フレームを受信し、
前記ＭＩＭＯビームフォーミング設定フレームに含まれたステーション識別情報が前記ＳＴＡに対応して、前記ＢＲＰフレームのＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスと同一である場合、前記ＢＲＰフレームを用いてＭＵ−ＭＩＭＯビームフォーミングトレーニングを実行するように構成される、ステーション装置。
【請求項１０】
無線ＬＡＮ（ＷＬＡＮ）システムにおいて、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを支援するステーション装置であって、
１つ以上のＲＦ（Ｒａｄｉｏ  Ｆｒｅｑｕｅｎｃｙ）チェーンを有して、１つ以上の他のステーション装置と信号を送受信するように構成される送受信部と、
前記送受信部と接続して、前記１つ以上の他のステーション装置と送受信した信号を処理するプロセッサーを含み、
前記プロセッサーは、
ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを送信し、
ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＳＴＡのＭＡＣ（Ｍｅｄｉｕｍ  Ａｃｃｅｓｓ  Ｃｏｎｔｒｏｌ）アドレスに設定されたＢＲＰ（Ｂｅａｍ  Ｒｅｆｉｎｅｍｅｎｔ  Ｐｒｏｔｏｃｏｌ）フレームを送信するように構成される、ステーション装置。
【発明の詳細な説明】
【技術分野】
【０００１】
以下、無線ＬＡＮ（ＷＬＡＮ）システムにおいてＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを行う方法、ＭＵ−ＭＩＭＯビームフォーミングトレーニングを支援する方法及びそのための装置について説明する。
【背景技術】
【０００２】
無線ＬＡＮ技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ８０２．１１ａ及びｂは、２．４．ＧＨｚ又は５ＧＨｚにおいて非免許帯域（ｕｎｌｉｃｅｎｓｅｄ  ｂａｎｄ）を用いて、ＩＥＥＥ８０２．１１ｂは１１Ｍｂｐｓの送信速度を提供し、ＩＥＥＥ８０２．１１ａは５４Ｍｂｐｓの送信速度を提供する。ＩＥＥＥ８０２．１１ｇは、２．４ＧＨｚにおいて直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ，ＯＦＤＭ）を適用し、５４Ｍｂｐｓの送信速度を提供する。ＩＥＥＥ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ，ＭＩＭＯ−ＯＦＤＭ）を適用し、４つの空間ストリーム（ｓｐａｔｉａｌ  ｓｔｒｅａｍ）に対して３００Ｍｂｐｓの送信速度を提供する。ＩＥＥＥ８０２．１１ｎでは、チャネル帯域幅（ｃｈａｎｎｅｌ  ｂａｎｄｗｉｄｔｈ）を４０ＭＨｚまで支援し、この場合、６００Ｍｂｐｓの送信速度を提供する。
【０００３】
上述した無線ＬＡＮ標準は、最大１６０ＭＨｚの帯域幅を用いて、８つの空間ストリームを支援して最大１Ｇｂｉｔ／ｓの速度を支援するＩＥＥＥ８０２．１１ａｃ標準を経て、ＩＥＥＥ８０２．１１ａｘ標準化が論議されている。
【０００４】
なお、ＩＥＥＥ８０２．１１ａｄでは、６０ＧＨｚ帯域における超高速処理率のための性能向上を規定して、このＩＥＥＥ８０２．１１ａｄシステムにおいて初めてチャネルボンディング及びＭＩＭＯ技術の導入のためのＩＥＥＥ８０２．１１ａｙが論議されている。
【発明の概要】
【発明が解決しようとする課題】
【０００５】
本発明では、ＭＵ−ＭＩＭＯビームフォーミングトレーニング手順において開始子が特定の応答子のみに対してＭＩＭＯビームフォーミングを支援する方法、これに基づいて特定の応答子のうちの１つの応答子がＭＩＭＯビームフォーミングを行う方法及びそのための装置を提案する。
【課題を解決するための手段】
【０００６】
上述のような課題を解決するために、本発明の一側面では、無線ＬＡＮ（ＷＬＡＮ）システムにおいて、ステーション（ＳＴＡ）がＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを行う方法であって、ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを受信し、ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＢＲＰ（Ｂｅａｍ  Ｒｅｆｉｎｅｍｅｎｔ  Ｐｒｏｔｏｃｏｌ）フレームを受信し、前記ＭＩＭＯビームフォーミング設定フレームに含まれたステーション識別情報が前記ＳＴＡに対応して、前記ＢＲＰフレームのＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスと同一である場合、前記ＢＲＰフレームを用いてＭＵ−ＭＩＭＯビームフォーミングトレーニングを実行することを含む、ＭＵ−ＭＩＭＯビームフォーミングトレーニング実行方法を提案する。
【０００７】
ここで、前記ステーション識別情報は、前記ＭＵ−ＭＩＭＯビームフォーミングトレーニングに参加するステーションのグループＩＤ（ｉｄｅｎｔｉｆｉｅｒ）情報及び前記グループＩＤ情報が指示するグループ内の前記ＭＵ−ＭＩＭＯビームフォーミングトレーニングに参加するステーションの識別情報を含むことができる。
【０００８】
また、前記ＢＲＰフレームは、ＴＲＮ（Ｔｒａｉｎｉｎｇ）サブフィールドを含むことができる。
【０００９】
また、前記ＭＵ−ＭＩＭＯビームフォーミングトレーニング実行方法は、ＭＵ−ＭＩＭＯビームフォーミングフィードバック副段階において、ＭＵ−ＭＩＭＯビームフォーミングフィードバックを要請するＭＩＭＯビームフォーミングフィードバックポールフレームを受信し、前記ＭＩＭＯビームフォーミングフィードバックポールフレームに応答し、前記実行されたＭＵ−ＭＩＭＯビームフォーミングトレーニングに対するＭＵ−ＭＩＭＯビームフォーミングフィードバックを送信することをさらに含むことができる。
【００１０】
本発明の他の側面では、無線ＬＡＮ（ＷＬＡＮ）システムにおいて、ステーション（ＳＴＡ）がＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを支援する方法であって、ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを送信し、ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＳＴＡのＭＡＣ（Ｍｅｄｉｕｍ  Ａｃｃｅｓｓ  Ｃｏｎｔｒｏｌ）アドレスに設定されたＢＲＰ（Ｂｅａｍ  Ｒｅｆｉｎｅｍｅｎｔ  Ｐｒｏｔｏｃｏｌ）フレームを送信することを含む、ＭＵ−ＭＩＭＯビームフォーミングトレーニング支援方法を提案する。
【００１１】
この場合、前記ＭＵ−ＭＩＭＯビームフォーミングトレーニングに参加するステーションのグループＩＤ（ｉｄｅｎｔｉｆｉｅｒ）情報及び前記グループＩＤ情報が指示するグループ内の前記ＭＵ−ＭＩＭＯビームフォーミングトレーニングに参加するステーションの識別情報を含むことができる。
【００１２】
また、前記ＢＲＰフレームは、ＴＲＮ（Ｔｒａｉｎｉｎｇ）サブフィールドを含むことができる。
【００１３】
また、前記ＭＵ−ＭＩＭＯビームフォーミングトレーニング支援方法は、ＭＵ−ＭＩＭＯビームフォーミングフィードバック副段階において、ＭＵ−ＭＩＭＯビームフォーミングフィードバックを要請するＭＩＭＯビームフォーミングフィードバックポールフレームを送信し、前記ＭＩＭＯビームフォーミングフィードバックポールフレームに応答し、１つ以上の応答子（ｒｅｓｐｏｎｄｅｒ）から先行したＭＵ−ＭＩＭＯビームフォーミングトレーニングに対するＭＵ−ＭＩＭＯビームフォーミングフィードバックを受信することをさらに含むことができる。
【００１４】
本発明のまた他の側面では、無線ＬＡＮ（ＷＬＡＮ）システムにおいて、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを行うステーション装置であって、１つ以上のＲＦ（Ｒａｄｉｏ  Ｆｒｅｑｕｅｎｃｙ）チェーンを有して、他のステーション装置と信号を送受信するように構成される送受信部と、前記送受信部と接続して、前記他のステーション装置と送受信した信号を処理するプロセッサーを含み、前記プロセッサーは、ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを受信し、ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＢＲＰ（Ｂｅａｍ  Ｒｅｆｉｎｅｍｅｎｔ  Ｐｒｏｔｏｃｏｌ）フレームを受信；及び前記ＭＩＭＯビームフォーミング設定フレームに含まれたステーション識別情報が前記ＳＴＡに対応して、前記ＢＲＰフレームのＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスと同一である場合、前記ＢＲＰフレームを用いてＭＵ−ＭＩＭＯビームフォーミングトレーニングを実行するように構成される、ステーション装置を提案する。
【００１５】
本発明のまた他の側面では、無線ＬＡＮ（ＷＬＡＮ）システムにおいて、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）ビームフォーミングトレーニングを支援するステーション装置であって、１つ以上のＲＦ（Ｒａｄｉｏ  Ｆｒｅｑｕｅｎｃｙ）チェーンを有して、１つ以上の他のステーション装置と信号を送受信するように構成される送受信部と、前記送受信部と接続して、前記１つ以上の他のステーション装置と送受信した信号を処理するプロセッサーを含み、前記プロセッサーは、ＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、前記ＭＵ−ＭＩＭＯビームフォーミングトレーニングに参加するステーション識別情報を含むＭＩＭＯビームフォーミング設定フレームを送信し、ＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドが前記ＳＴＡのＭＡＣ（Ｍｅｄｉｕｍ  Ａｃｃｅｓｓ  Ｃｏｎｔｒｏｌ）アドレスに設定されたＢＲＰ（Ｂｅａｍ  Ｒｅｆｉｎｅｍｅｎｔ  Ｐｒｏｔｏｃｏｌ）フレームを送信するように構成される、ステーション装置を提案する。
【００１６】
本発明から得られる効果は、以上で言及した効果に制限されず、言及していない他の効果は、以下の記載から、本発明の属する技術分野における通常の知識を有する者に明確に理解されるであろう。
【発明の効果】
【００１７】
上述のような構成により、本発明に係る開始子及び応答子は、シグナリングオーバーヘッドが増加することなく、特定の応答子のみに対してＭＩＭＯビームフォーミングトレーニングを支援（又は、実行）することができる。
【００１８】
本発明から得られる効果は、以上で言及した効果に制限されず、言及していない他の効果は、以下の記載から、本発明の属する技術分野における通常の知識を有する者に明確に理解されるであろう。
【図面の簡単な説明】
【００１９】
本明細書に添付された図面は、本発明に対する理解を提供するためのもので、本発明の様々な実施形態を示し、明細書の記載と共に本発明の原理を説明するためのものである。
【００２０】
【図１】無線ＬＡＮシステムの構成の一例を示す図である。
【図２】無線ＬＡＮシステムの構成の他の例を示す図である。
【図３】本発明の一実施形態に係るチャネルボンディング動作を説明するための６０ＧＨｚ帯域におけるチャネルを説明する図である。
【図４】無線ＬＡＮシステムにおいてチャネルボンディングを行う基本的な方法を説明する図である。
【図５】ビーコン間隔の構成を説明する図である。
【図６】従来の無線フレームの物理構成を説明する図である。
【図７】図６の無線フレームのヘッダーフィールドの構成を説明する図である。
【図８】図６の無線フレームのヘッダーフィールドの構成を説明する図である。
【図９】本発明に適用可能なＰＰＤＵ構造を示す図である。
【図１０】本発明に適用可能なＰＰＤＵ構造を簡単に示す図である。
【図１１】本発明に適用可能なビームフォーミングトレーニング手順の一例を示す図である。
【図１２】ＳＬＳ段階の例示を示す図である。
【図１３】ＳＬＳ段階の例示を示す図である。
【図１４】本発明に適用可能なＳＵ−ＭＩＭＯのためのＭＩＭＯ段階を簡単に示す図である。
【図１５】本発明に適用可能な下りリンクＭＩＭＯ段階を簡単に示す図である。
【図１６】本発明に適用可能な上りリンクＭＩＭＯ段階を簡単に示す図である。
【図１７】本発明に適用可能なＭＵ用ＰＰＤＵ内のＥＤＭＧ  Ｈｅａｄｅｒ−Ａフィールドに含まれるフィールドを示す図である。
【図１８】本発明に従って開始子及び応答子間のＭＵ−ＭＩＭＯビームフォーミングトレーニングを実行する動作を示す図である。
【図１９】上述のような方法を具現するための装置を説明する図である。
【発明を実施するための形態】
【００２１】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。
【００２２】
以下の詳細な説明は、本発明の完全な理解を提供するために具体的な細部事項を含む。しかし、当業者にとってはこのような具体的な細部事項なしにも本発明を実施できることは明らかである。場合によっては、本発明の概念が曖昧になることを避けるために、公知の構造及び装置を省略したり、各構造及び装置の核心機能を中心にしたブロック図の形式で示すことができる。
【００２３】
本発明を適用する移動通信システムは様々に存在するが、以下では、移動通信システムの一例として無線ＬＡＮシステムについて具体的に説明する。
【００２４】
１．無線ＬＡＮ（Ｗｉｒｅｌｅｓｓ  ＬＡＮ，ＷＬＡＮ）システム
【００２５】
１−１．無線ＬＡＮシステムの一般
【００２６】
図１は、無線ＬＡＮシステムの構成の一例を示す図である。
【００２７】
図１に示されたように、無線ＬＡＮシステムは、１つ以上の基本サービスセット（Ｂａｓｉｃ  Ｓｅｒｖｉｃｅ  Ｓｅｔ，ＢＳＳ）を含む。ＢＳＳは、同期化に成功して互いに通信可能なステーション（Ｓｔａｔｉｏｎ，ＳＴＡ）の集合である。
【００２８】
ＳＴＡは、媒体接続制御（Ｍｅｄｉｕｍ  Ａｃｃｅｓｓ  Ｃｏｎｔｒｏｌ，ＭＡＣ）と無線媒体に対する物理階層（Ｐｈｙｓｉｃａｌ  Ｌａｙｅｒ）インターフェースを含む論理固体であって、アクセスポイント（ａｃｃｅｓｓ  ｐｏｉｎｔ，ＡＰ）と非ＡＰ  ＳＴＡ（Ｎｏｎ−ＡＰ  Ｓｔａｔｉｏｎ）とを含む。ＳＴＡにおいてユーザが操作する携帯用端末はＮｏｎ−ＡＰ  ＳＴＡであり、単にＳＴＡというときには、Ｎｏｎ−ＡＰ  ＳＴＡを指すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ，ＷＴＲＵ）、ユーザ装備（Ｕｓｅｒ  Ｅｑｕｉｐｍｅｎｔ，ＵＥ）、移動局（Ｍｏｂｉｌｅ  Ｓｔａｔｉｏｎ，ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などとも呼ばれる。
【００２９】
また、ＡＰは、自分に結合したＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ，ＤＳ）への接続を提供する個体である。ＡＰは、集中制御器、基地局（Ｂａｓｅ  Ｓｔａｔｉｏｎ，ＢＳ）、Ｎｏｄｅ−Ｂ、ＢＴＳ（Ｂａｓｅ  Ｔｒａｎｓｃｅｉｖｅｒ  Ｓｙｓｔｅｍ）、ＰＣＰ／ＡＰ（ｐｅｒｓｏｎａｌ  ｂａｓｉｃ  ｓｅｒｖｉｃｅ  ｓｅｔ  ｃｅｎｔｒａｌ  ｐｏｉｎｔ／ａｃｃｅｓｓ  ｐｏｉｎｔ）又はサイト制御器なととも呼ばれる。
【００３０】
ＢＳＳは、インフラストラクチャー（ｉｎｆｒａｓｔｒｕｃｔｕｒｅ）ＢＳＳと独立の（Ｉｎｄｅｐｅｎｄｅｎｔ）ＢＳＳ（ＩＢＳＳ）とに区分できる。
【００３１】
図１に示されたＢＢＳはＩＢＳＳである。ＩＢＳＳは、ＡＰを含んでいないＢＳＳを意味し、ＡＰを含んでいないため、ＤＳへの接続が許容されなくて自己完備的ネットワーク（ｓｅｌｆ−ｃｏｎｔａｉｎｅｄ  ｎｅｔｗｏｒｋ）を成す。
【００３２】
図２は、無線ＬＡＮシステムの構成の他の例を示す図である。
【００３３】
図２に示されたＢＳＳは、インフラストラクチャーＢＳＳである。インフラストラクチャーＢＳＳは、１つ以上のＳＴＡ及びＡＰを含む。インフラストラクチャーＢＳＳにおいて、非ＡＰ  ＳＴＡ間の通信は、ＡＰを介してなされることが原則であるが、非ＡＰ  ＳＴＡ間にリンク（ｌｉｎｋ）が直接設定された場合は、非ＡＰ  ＳＴＡ間で直接通信することも可能である。
【００３４】
図２に示されたように、複数のインフラストラクチャーＢＳＳはＤＳを介して相互接続することができる。ＤＳを介して接続した複数のＢＳＳを拡張サービスセット（Ｅｘｔｅｎｄｅｄ  Ｓｅｒｖｉｃｅ  Ｓｅｔ，ＥＳＳ）という。ＥＳＳに含まれるＳＴＡは互いに通信することができ、同一のＥＳＳ内で非ＡＰ  ＳＴＡは絶えず通信しながら１つのＢＳＳから他のＢＳＳへ移動することができる。
【００３５】
ＤＳは、複数のＡＰを連結するメカニズム（ｍｅｃｈａｎｉｓｍ）であって、必ずしもネットワークである必要はなく、所定の分配サービスを提供する限り、その形態に対しては何ら制限がない。例えば、ＤＳはメッシュ（ｍｅｓｈ）ネットワークのような無線ネットワークであってもよく、ＡＰを互いに連結する物理的な構造物であってもよい。
【００３６】
以上に基づいて無線ＬＡＮシステムにおけるチャネルボンディング方式について説明する。
【００３７】
１−２．無線ＬＡＮシステムにおけるチャネルボンディング
【００３８】
図３は、本発明の一実施形態に係るチャネルボンディング動作を説明するための６０ＧＨｚ帯域におけるチャネルを説明する図である。
【００３９】
図３に示されたように、６０ＧＨｚ帯域では４つのチャネルを構成することができ、一般のチャネル帯域幅は２．１６ＧＨｚである。６０ＧＨｚにおいて使用可能なＩＳＭ帯域（５７ＧＨｚ〜６６ＧＨｚ）は、各局の状況に応じて規定が異なってもよい。一般に、図３に示されたチャネルのうちのチャネル２は、全地域で使用可能であり、デフォールト（ｄｅｆａｕｌｔ）チャネルとして用いられる。オーストラリアを除く多く地域でチャネル２及びチャネル３を使用することができ、これをチャネルボンディングに活用できる。但し、チャネルボンディングに活用するチャネルは様々であり、本発明は、特定のチャネルに限定されない。
【００４０】
図４は、無線ＬＡＮシステムにおいてチャネルボンディングを行う基本的な方法を説明する図である。
【００４１】
図４の例は、ＩＥＥＥ８０２．１１ｎシステムにおいて２つの２０ＭＨｚチャネルを組み合わせて４０ＭＨｚチャネルボンディングとして動作する例を説明する。ＩＥＥＥ８０２．１１ａｃシステムの場合、４０／８０／１６０ＭＨｚチャネルボンディングが可能となる。
【００４２】
図４に例示の２つのチャネルは、プライマリチャネル（Ｐｒｉｍａｒｙ  Ｃｈａｎｎｅｌ）及びセカンダリーチャネル（Ｓｅｃｏｎｄａｒｙ  Ｃｈａｎｎｅｌ）を含み、ＳＴＡはこの２つのチャネルのうちのプライマリチャネルに対してＣＳＭＡ／ＣＡ方式によってチャネル状態を検討することができる。仮に、プライマリチャネルが一定のバックオフ間隔（ｂａｃｋｏｆｆ  ｉｎｔｅｒｖａｌ）の間に遊休（ｉｄｌｅ）でバックオフカウントが０となる時点に、セカンダリーチャネルが所定時間（例えば、ＰＩＦＳ）の間に遊休である場合、ＳＴＡはプライマリチャネル及びセカンダリーチャネルを組み合わせてデータを送信することができる。
【００４３】
但し、図４のように、競合ベースでチャネルボンディングを行う場合、上述したように、プライマリチャネルに対するバックオフカウントが満了する時点に、セカンダリーチャネルが所定時間の間に遊休状態を維持する場合に限ってチャネルボンディングが可能であるため、チャネルボンディングの活用が極めて制限的であり、媒体状況に柔軟に対応し難いという側面がある。
【００４４】
これにより、本発明の一側面では、ＡＰがＳＴＡにスケジューリング情報を送信し、スケジューリングに基づいて接続を行う方案を提案する。なお、本発明の他の一側面では、上述したスケジューリングに基づいて、又は上述したスケジューリングとは独立して、競合ベースでチャネル接続を行う方案を提案する。さらに、本発明の他の一側面では、ビームフォーミング（ｂｅａｍｆｏｒｍｉｎｇ）に基づいて空間共有（Ｓｐａｔｉａｌ  Ｓｈａｒｉｎｇ）方法によって通信を行う方法を提案する。
【００４５】
１−３．ビーコン間隔構成
【００４６】
図５は、ビーコン間隔の構成を説明する図である。
【００４７】
１１ａｄベースのＤＭＧ  ＢＳＳシステムにおいて、媒体の時間はビーコン間隔によって分けられる。ビーコン間隔内の下位区間は、接続区間（Ａｃｃｅｓｓ  Ｐｅｒｉｏｄ）とも呼ばれる。１つのビーコン間隔内の互いに異なる接続区間は、異なる接続規則を有してもよい。このような接続区間に関する情報は、ＡＰ又はＰＣＰ（Ｐｅｒｓｏｎａｌ  ｂａｓｉｃ  ｓｅｒｖｉｃｅ  ｓｅｔ  Ｃｏｎｔｒｏｌ  Ｐｏｉｎｔ）によってｎｏｎ−ＡＰ  ＳＴＡ又はｎｏｎ−ＰＣＰに送信される。
【００４８】
図５に示されたように、１つのビーコン間隔は１つのＢＨＩ（Ｂｅａｃｏｎ  Ｈｅａｄｅｒ  Ｉｎｔｅｒｖａｌ）と１つのＤＴＩ（Ｄａｔａ  Ｔｒａｎｓｆｅｒ  Ｉｎｔｅｒｖａｌ）を含むことができる。ＢＨＩは、図４に示されたように、ＢＴＩ（Ｂｅａｃｏｎ  Ｔｒａｎｓｍｉｓｓｉｏｎ  Ｉｎｔｅｒｖａｌ）、Ａ−ＢＦＴ（Ａｓｓｏｃｉａｔｉｏｎ  Ｂｅａｍｆｏｒｍｉｎｇ  Ｔｒａｉｎｉｎｇ）及びＡＴＩ（Ａｎｎｏｕｎｃｅｍｅｎｔ  Ｔｒａｎｓｍｉｓｓｉｏｎ  Ｉｎｔｅｒｖａｌ）を含むことができる。
【００４９】
ＢＴＩは１つ以上のＤＭＧビーコンフレームが送信可能な区間を意味する。Ａ−ＢＦＴは先行するＢＴＩの間にＤＭＧビーコンフレームを送信したＳＴＡによるビームフォーミングトレーニングが行われる区間を意味する。ＡＴＩはＰＣＰ／ＡＰとｎｏｎ−ＰＣＰ／ｎｏｎ−ＡＰ  ＳＴＡ間に要請−応答ベースの管理接続区間を意味する。
【００５０】
一方、ＤＴＩ（Ｄａｔａ  Ｔｒａｎｓｆｅｒ  Ｉｎｔｅｒｖａｌ）は、ＳＴＡ間のフレーム交換が行われる区間であって、図５に示されたように、１つ以上のＣＢＡＰ（Ｃｏｎｔｅｎｔｉｏｎ  Ｂａｓｅｄ  Ａｃｃｅｓｓ  Ｐｅｒｉｏｄ）及び１つ以上のＳＰ（Ｓｅｒｖｉｃｅ  Ｐｅｒｉｏｄ）が割り当てられる。図５では、２つのＣＢＡＰと２つのＳＰが割り当てられる例を示しているが、これは例示に過ぎず、これに限定されない。
【００５１】
以下、本発明が適用される無線ＬＡＮシステムにおける物理階層構成について具体的に説明する。
【００５２】
１−４．物理階層構成
【００５３】
本発明の一実施形態に係る無線ＬＡＮシステムでは、以下のような３つの異なる変調モードを提供することを仮定する。
【００５４】
【表１】
2020528715.tif 000003
【００５５】
このような変調モードは、互いに異なる要求条件（例えば、高い処理率又は安定性）を満たすために用いられてもよい。システムによっては、これらのうちの一部のモードのみを支援することもできる。
【００５６】
図６は、従来の無線フレームの物理構成を説明する図である。
【００５７】
全てのＤＭＧ（Ｄｉｒｅｃｔｉｏｎａｌ  Ｍｕｌｔｉ−Ｇｉｇａｂｉｔ）物理階層は、図６に示されたようなフィールドを共通して含むことを仮定する。但し、各々のモードに応じて、個別的なフィールドの規定方式及び使用する変調／コーディング方式において相違があってもよい。
【００５８】
図６に示されたように、無線フレームのプリアンブルは、ＳＴＦ（Ｓｈｏｒｔ  Ｔｒａｉｎｉｎｇ  Ｆｉｅｌｄ）及びＣＥ（Ｃｈａｎｎｅｌ  Ｅｓｔｉｍａｔｉｏｎ）を含むことができる。また、無線フレームは、ヘッダー及びペイロードとしてデータフィールドと選択的にビームフォーミングのためのＴＲＮ（Ｔｒａｉｎｉｎｇ）フィールドを含んでもよい。
【００５９】
図７及び図８は、図６の無線フレームのヘッダーフィールドの構成を説明する図である。
【００６０】
具体的に、図７は、ＳＣ（Ｓｉｎｇｌｅ  Ｃａｒｒｉｅｒ）モードが用いられる場合を示す。ＳＣモードにおいて、ヘッダーは、スクランブリングの初期値を示す情報、ＭＣＳ（Ｍｏｄｕｌａｔｉｏｎ  ａｎｄ  Ｃｏｄｉｎｇ  Ｓｃｈｅｍｅ）、データの長さを示す情報、追加のＰＰＤＵ（Ｐｈｙｓｉｃａｌ  Ｐｒｏｔｏｃｏｌ  Ｄａｔａ  Ｕｎｉｔ）の存否を示す情報、パケットタイプ、トレーニング長さ、結合（Ａｇｇｒｅｇａｔｉｏｎ）有無、ビームトレーニング要請有無、最後のＲＳＳＩ（Ｒｅｃｅｉｖｅｄ  Ｓｉｇｎａｌ  Ｓｔｒｅｎｇｔｈ  Ｉｎｄｉｃａｔｏｒ）、切断（ｔｒｕｎｃａｔｉｏｎ）有無、ＨＣＳ（Ｈｅａｄｅｒ  Ｃｈｅｃｋ  Ｓｅｑｕｅｎｃｅ）などの情報を含むことができる。また、図７に示されたように、ヘッダーは４ビットの予備ビット（ｒｅｓｅｒｖｅｄ  ｂｉｔｓ）を有し、以下の説明では、このような予備ビットを活用することもできる。
【００６１】
また、図８は、ＯＦＤＭモードが適用される場合のヘッダーの具体的な構成を示す。ＯＦＤＭヘッダーは、スクランブリングの初期値を示す情報、ＭＣＳ、データの長さを示す情報、追加のＰＰＤＵの存否を示す情報、パケットタイプ、トレーニング長さ、結合（Ａｇｇｒｅｇａｔｉｏｎ）有無、ビームトレーニング要請有無、最後のＲＳＳＩ、切断有無、ＨＣＳ（Ｈｅａｄｅｒ  Ｃｈｅｃｋ  Ｓｅｑｕｅｎｃｅ）などの情報を含むことができる。また、図８に示されたように、ヘッダーは２ビットの予備ビットを有し、以下の説明では、図７と同様に、このような予備ビットを活用することもできる。
【００６２】
上述のように、ＩＥＥＥ８０２．１１ａｙシステムは、従来の１１ａｄシステムへのチャネルボンディング及びＭＩＭＯ技術の導入を始めて考慮している。１１ａｙにおいてチャネルボンディング及びＭＩＭＯを具現するためには、新しいＰＰＤＵ構造が必要である。即ち、従来の１１ａｄ  ＰＰＤＵ構造では、レガシー端末を支援すると同時に、チャネルボンディングとＭＩＭＯを具現するには限界がある。
【００６３】
このために、レガシー端末を支援するためのレガシープリアンブル、レガシーヘッダーフィールドの後に１１ａｙ端末のための新しいフィールドを定義することができ、ここで新しく定義されたフィールドを介してチャネルボンディングとＭＩＭＯを支援することができる。
【００６４】
図９は、本発明の好ましい一実施形態に係るＰＰＤＵ構造を示す図である。図９において、横軸は時間領域に、縦軸は周波数領域に対応できる。
【００６５】
２つ以上のチャネルをボンディングする場合、各々のチャネルで用いられる周波数帯域（例えば：１．８３ＧＨｚ）の間には一定の大きさの周波数帯域（例えば：４００ＭＨｚ帯域）が存在する。Ｍｉｘｅｄ  ｍｏｄｅの場合、各々のチャネルを介してレガシープリアンブル（レガシーＳＴＦ、レガシーＣＥ）がｄｕｐｌｉｃａｔｅで送信されるが、本発明の一実施形態では各々のチャネル間の４００ＭＨｚ帯域を通じてレガシープリアンブルと同時に新しいＳＴＦとＣＥフィールドの送信（ｇａｐ  ｆｉｌｌｉｎｇ）を考慮することができる。
【００６６】
この場合、図９に示されたように、本発明に係るＰＰＤＵ構造は、ａｙ  ＳＴＦ、ａｙ  ＣＥ、ａｙヘッダーＢ、ペイロード（ｐａｙｌｏａｄ）をレガシープリアンブル、レガシーヘッダー及びａｙヘッダーＡの以後に広帯域に送信する形態となる。よって、ヘッダーフィールドの後に送信されるａｙヘッダー、ａｙ  Ｐａｙｌｏａｄフィールドなどは、ボンディングに用いられるチャネルを介して送信することができる。以下、ａｙヘッダーをレガシーヘッダーと区分するために、ＥＤＭＧ（ｅｎｈａｎｃｅｄ  ｄｉｒｅｃｔｉｏｎａｌ  ｍｕｌｔｉ−ｇｉｇａｂｉｔ）ヘッダーと呼んでもよく、その名称は混用してもよい。
【００６７】
一例として、１１ａｙには全６つ又は８つのチャネル（各２．１６ＧＨｚ）が存在することができ、単一ＳＴＡでは最大４つのチャネルをボンディングして送信することができる。ここで、ａｙヘッダーとａｙ  Ｐａｙｌｏａｄは、２．１６ＧＨｚ、４．３２ＧＨｚ、６．４８ＧＨｚ、８．６４ＧＨｚの帯域幅を介して送信することができる。
【００６８】
或いは、上述のようなＧａｐ−Ｆｉｌｌｉｎｇを行わず、レガシープリアンブルを繰り返して送信する際のＰＰＤＵフォーマットを考慮してもよい。
【００６９】
この場合、Ｇａｐ−Ｆｉｌｌｉｎｇを行わないため、図８において点線で示すＧＦ−ＳＴＦ及びＧＦ−ＣＥフィールドなく、ａｙ  ＳＴＦ、ａｙ  ＣＥ及びａｙヘッダーＢをレガシープリアンブル、レガシーヘッダー及びａｙヘッダーＡの以後に広帯域に送信する形態となる。
【００７０】
図１０は、本発明に適用可能なＰＰＤＵ構造を簡単に示す図である。上述したＰＰＤＵフォーマットを簡単にすると、図１０のように示される。
【００７１】
図１０に示されたように、１１ａｙシステムに適用可能なＰＰＤＵフォーマットは、Ｌ−ＳＴＦ、Ｌ−ＣＥ、Ｌ−Ｈｅａｄｅｒ、ＥＤＭＧ−Ｈｅａｄｅｒ−Ａ、ＥＤＭＧ−ＳＴＦ、ＥＤＭＧ−ＣＥＦ、ＥＤＭＧ−Ｈｅａｄｅｒ−Ｂ、Ｄａｔａ、ＴＲＮフィールドを含むことができ、これらのフィールドは、ＰＰＤＵの形態（例えば：ＳＵ  ＰＰＤＵ、ＭＵ  ＰＰＤＵなど）によって選択的に含まれてもよい。
【００７２】
ここで、Ｌ−ＳＴＦ、Ｌ−ＣＥ、Ｌ−ｈｅａｄｅｒフィールドを含む部分は、非ＥＤＭＧ領域（Ｎｏｎ−ＥＤＭＧ  ｐｏｒｔｉｏｎ）と呼んでもよく、その他の部分は、ＥＤＭＧ領域と呼んでもよい。また、Ｌ−ＳＴＦ、Ｌ−ＣＥ、Ｌ−Ｈｅａｄｅｒ、ＥＤＭＧ−Ｈｅａｄｅｒ−Ａフィールドは、ｐｒｅ−ＥＤＭＧ  ｍｏｄｕｌａｔｅｄ  ｆｉｅｌｄｓと呼んでもよく、その他の部分は、ＥＤＭＧ  ｍｏｄｕｌａｔｅｄ  ｆｉｅｌｄｓと呼んでもよい。
【００７３】
上述のようなＰＰＤＵの（レガシー）プリアンブル部分は、パケット検出（ｐａｃｋｅｔ  ｄｅｔｅｃｔｉｏｎ）、ＡＧＣ（Ａｕｔｏｍａｔｉｃ  Ｇａｉｎ  Ｃｏｎｔｒｏｌ）、周波数オフセット測定（ｆｒｅｑｕｅｎｃｙ  ｏｆｆｓｅｔ  ｅｓｔｉｍａｔｉｏｎ）、同期化（ｓｙｎｃｈｒｏｎｉｚａｔｉｏｎ）、変調（ＳＣ又はＯＦＤＭ）の指示及びチャネル測定（ｃｈａｎｎｅｌ  ｅｓｔｉｍａｔｉｏｎ）に用いられる。プリアンブルのフォーマットは、ＯＦＤＭパケット及びＳＣパケットに対して共通してもよい。この場合、プリアンブルは、ＳＴＦ（Ｓｈｏｒｔ  Ｔｒａｉｎｉｎｇ  Ｆｉｅｌｄ）及びＳＴＦフィールドの以後に位置したＣＥ（Ｃｈａｎｎｅｌ  Ｅｓｔｉｍａｔｉｏｎ）フィールドで構成できる。（Ｔｈｅ  ｐｒｅａｍｂｌｅ  ｉｓ  ｔｈｅ  ｐａｒｔ  ｏｆ  ｔｈｅ  ＰＰＤＵ  ｔｈａｔ  ｉｓ  ｕｓｅｄ  ｆｏｒ  ｐａｃｋｅｔ  ｄｅｔｅｃｔｉｏｎ,  ＡＧＣ,  ｆｒｅｑｕｅｎｃｙ  ｏｆｆｓｅｔ  ｅｓｔｉｍａｔｉｏｎ,  ｓｙｎｃｈｒｏｎｉｚａｔｉｏｎ,  ｉｎｄｉｃａｔｉｏｎ  ｏｆ  ｍｏｄｕｌａｔｉｏｎ  （ＳＣ  ｏｒ  ＯＦＤＭ）  ａｎｄ  ｃｈａｎｎｅｌ  ｅｓｔｉｍａｔｉｏｎ.  Ｔｈｅ  ｆｏｒｍａｔ  ｏｆ  ｔｈｅ  ｐｒｅａｍｂｌｅ  ｉｓ  ｃｏｍｍｏｎ  ｔｏ  ｂｏｔｈ  ＯＦＤＭ  ｐａｃｋｅｔｓ  ａｎｄ  ＳＣ  ｐａｃｋｅｔｓ.  Ｔｈｅ  ｐｒｅａｍｂｌｅ  ｉｓ  ｃｏｍｐｏｓｅｄ  ｏｆ  ｔｗｏ  ｐａｒｔｓ：  ｔｈｅ  Ｓｈｏｒｔ  Ｔｒａｉｎｉｎｇ  ｆｉｅｌｄ  ａｎｄ  ｔｈｅ  Ｃｈａｎｎｅｌ  Ｅｓｔｉｍａｔｉｏｎ  ｆｉｅｌｄ.）
【００７４】
２．本発明に適用可能なビームフォーミング手順
【００７５】
上述したように、本発明が適用可能な１１ａｙシステムでは、複数のチャネルを同時に用いてデータを送信するチャネルボンディング（ｃｈａｎｎｅｌ  ｂｏｎｄｉｎｇ）、チャネル結合（ｃｈａｎｎｅｌ  ａｇｇｒｅｇａｔｉｏｎ）、ＦＤＭＡなどの方法を適用することができる。特に、本発明が適用可能な１１ａｙシステムでは、高周波帯域の信号を活用するため、高い信頼性で信号を送受信するためには、ビームフォーミング動作を適用してもよい。
【００７６】
但し、従来の１１ａｄシステムでは、１つのチャネルに対するビームフォーミング方法のみを開示しているだけで、複数のチャネルに対して適用可能なビームフォーミング方法については全く示唆していない。ここで、本発明では、複数のチャネルを用いたチャネルボンディング（ｃｈａｎｎｅｌ  ｂｏｎｄｉｎｇ）又はチャネル結合（ｃｈａｎｎｅｌ  ａｇｇｒｅｇａｔｉｏｎ）送信のためのビームフォーミング手順について詳細に説明する。
【００７７】
本発明に適用可能なビームフォーミング手順を説明するために、基本的に１つのチャネルに対するビームフォーミングトレーニング手順について詳細に説明する。
【００７８】
図１１は、本発明に適用可能なビームフォーミングトレーニング手順の一例を示す。
【００７９】
基本的に、本発明に適用可能なビームフォーミング手順は、大きく、ＳＬＳ（Ｓｅｃｔｏｒ  Ｌｅｖｅｌ  Ｓｗｅｅｐ）段階（ｐｈａｓｅ）及びＢＲＰ（Ｂｅａｍ  Ｒｅｆｉｎｅｍｅｎｔ  Ｐｒｏｔｏｃｏｌ又はＢｅａｍ  Ｒｅｆｉｎｅｍｅｎｔ  Ｐｈａｓｅ）段階（ｐｈａｓｅ）で構成することができる。この場合、ＢＲＰ段階は選択的に行われてもよい。
【００８０】
以下、ビームフォーミング動作によってデータを送信しようとするＳＴＡは開始子（ｉｎｉｔｉａｔｏｒ）といい、開始子からデータを送信されるＳＴＡは応答子（ｒｅｓｐｏｎｄｅｒ）という。
【００８１】
Ａ−ＢＦＴ（Ａｓｓｏｃｉａｔｉｏｎ  ＢｅａｍＦｏｒｍｉｎｇ  Ｔｒａｉｎｉｎｇ）割り当て内に発生するＢＦトレーニングにおいて、ＡＰ又はＰＣＰ／ＡＰは開始子であり、非−ＡＰ及び非−ＰＣＰ／ＡＰ  ＳＴＡは応答子となる。ＳＰ割り当て内に発生するＢＦトレーニングにおいて、ＳＰのソース（ＥＤＭＧ）ＳＴＡは開始子であり、ＳＰの目的地ＳＴＡは応答子となる。ＴＸＯＰ（Ｔｒａｎｓｍｉｓｓｉｏｎ  Ｏｐｐｏｒｔｕｎｉｔｙ）割り当て内のＢＦトレーニングにおいて、ＴＸＯＰホルダー（ｈｏｌｄｅｒ）は開始子であり、ＴＸＯＰ応答子は応答子となる。
【００８２】
開始子から応答子へのリンク（ｌｉｎｋ）は開始子リンク（ｉｎｉｔｉａｔｏｒ  ｌｉｎｋ）といい、応答子から開始子へのリンクは応答子リンク（ｒｅｓｐｏｎｄｅｒ  ｌｉｎｋ）という。
【００８３】
本発明が適用可能な１１ａｙシステムで支援する６０ＧＨｚ帯域では、データ、制御情報などをより高い信頼性を有して伝達するために、オムニ（ｏｍｎｉ）送信方式ではなく、指向的（ｄｉｒｅｃｔｉｏｎａｌ）送信方式を適用してもよい。
【００８４】
このための手順として、データを送受信しようとするＳＴＡは、ＳＬＳ手順を通じて開始子及び応答子に対するＴＸ又はＲＸベストセクター（ｂｅｓｔ  ｓｅｃｔｏｒ）を互いに知ることができる。
【００８５】
このようなＢＦトレーニングは、開始子からのＳＬＳ（Ｓｅｃｔｏｒ  Ｌｅｖｅｌ  Ｓｗｅｅｐ）と共に開始する。ＳＬＳ段階の目的は、制御ＰＨＹレート又は上位ＭＣＳにおいて２つのＳＴＡ間の通信を可能にすることである。特に、ＳＬＳ段階は専らＢＦトレーニングを送信することだけを提供する。
【００８６】
さらに、開始子又は応答子の要請がある場合、ＳＬＳに次いでＢＲＰ（Ｂｅａｍ  Ｒｅｆｉｎｅｍｅｎｔ  Ｐｒｏｔｏｃｏｌ又はＢｅａｍ  Ｒｅｆｉｎｅｍｅｎｔ  Ｐｈａｓｅ）が行われてもよい。
【００８７】
ＢＲＰ段階（ｐｈａｓｅ）の目的は、受信トレーニングを可能にし、全てのＳＴＡにおいて全ての送信器及び受信器のＡＷＶ（Ａｎｔｅｎｎａ  Ｗｅｉｇｈｔ  Ｖｅｃｔｏｒ）の反復的精製（ｉｔｅｒａｔｉｖｅ  ｒｅｆｉｎｅｍｅｎｔ）を可能にすることである。仮に、ビームトレーニングに参加するＳＴＡの１つがただ１つの送信アンテナパターンを用いることを選択した場合、受信トレーニングはＳＬＳ段階の一部として行われてもよい。
【００８８】
ＳＬＳ段階についてより具体的に説明すると、ＳＬＳ段階は、以下の４つの要素を含むことができる：開始子リンクをトレーニングするためのＩＳＳ（Ｉｎｉｔｉａｔｏｒ  Ｓｅｃｔｏｒ  Ｓｗｅｅｐ）、応答子リンクをトレーニングするためのＲＳＳ（Ｒｅｓｐｏｎｄｅｒ  Ｓｅｃｔｏｒ  Ｓｗｅｅｐ）、ＳＳＷフィードバック、ＳＳＷ  ＡＣＫ。
【００８９】
開始子はＩＳＳのフレーム（ら）を送信することでＳＬＳ段階を開始する。
【００９０】
応答子はＩＳＳを完全に終了する前にＲＳＳのフレーム（ら）の送信を開始しない。但し、ＩＳＳがＢＴＩ内で発生する場合は例外である。
【００９１】
開始子はＲＳＳ段階（ｐｈａｓｅ）を完全に終了する前にＳＳＷフィードバックを開始しない。但し、ＲＳＳがＡ−ＢＦＴ内で発生する場合は例外である。応答子はＡ−ＢＦＴ内で開始子のＳＳＷ  ＡＣＫを開始しない。
【００９２】
応答子は開始子のＳＳＷフィードバックを完全に終了した後、直ちに開始子のＳＳＷ  ＡＣＫを開始する。
【００９３】
ＳＬＳ段階の間に開始子が送信するＢＦフレームは、（ＥＤＭＧ）ビーコンフレーム、ＳＳＷフレーム及びＳＳＷフィードバックフレームを含むことができる。ＳＬＳ段階の間に応答子が送信するＢＦフレームは、ＳＳＷフレーム及びＳＳＷ−ＡＣＫフレームを含むことができる。
【００９４】
ＳＬＳの間に開始子及び応答子がＴＸＳＳ（Ｔｒａｎｓｍｉｔ  Ｓｅｃｔｏｒ  Ｓｗｅｅｐ）をそれぞれ実施する場合、ＳＬＳ段階の最後に、開始子及び応答子はそれらの送信セクターを所有（ｐｏｓｓｅｓｓ）することになる。仮に、ＩＳＳ又はＲＳＳが受信セクタースイープ（ｒｅｃｅｉｖｅ  ｓｅｃｔｏｒ  ｓｗｅｅｐ）を用いる（ｅｍｐｌｏｙ）場合、応答子又は開始子のそれぞれはそれらの受信セクターを所有することになる。
【００９５】
ＳＴＡはセクタースイープの間に送信電力を変更しない。
【００９６】
図１２及び図１３は、ＳＬＳ段階の例示を示す図である。
【００９７】
図１２において、開始子は多いセクターを有して、応答子はＲＳＳで用いられる１つの送信セクター及び受信セクターを有する。ここで、応答子は全ての応答子ＳＳＷフレームを同一の送信セクターを介して送信し、同時に開始子は受信アンテナを変更（ｓｗｉｔｃｈｉｎｇ）する。
【００９８】
図１３において、開始子は多い送信セクターを有して、応答子は１つの送信セクターを有する。この場合、開始子のための受信トレーニングは、ＢＲＰ段階で行われてもよい。
【００９９】
このようなＳＬＳは、以下のようにまとめられる。
【０１００】
ＳＬＳは、本発明が適用可能な８０２．１１ａｙシステムにおいて、リンク検知（ｌｉｎｋ  ｄｅｔｅｃｔｉｏｎ）を行うプロトコールであって、ネットワークノードがビームの方向のみを変更しながら同じ情報を含むフレームを連続して送受信し、受信に成功したフレームのうち、受信チャネルリンクの性能を示す指標（例えば：ＳＮＲ（Ｓｉｇｎａｌ  ｔｏ  Ｒａｔｉｏ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）など）が最良のビーム方向を選択するビームトレーニング方式である。
【０１０１】
次いで、ＢＲＰは、以下のようにまとめられる。
【０１０２】
ＢＲＰは、ＳＬＳ又は他の手段によって決定されたビーム方向においてデータ送信率を最大化するビーム方向を細かく調整するプロトコールであって、必要に応じて行われてもよい。このＢＲＰは、ＢＲＰプロトコールのために定義された、ビームトレーニング情報とトレーニング結果を報告する情報を含むＢＲＰフレームを用いてビームトレーニングを行う。例えば、ＢＲＰは、以前のビームトレーニングによって決定されたビームを用いてＢＲＰフレームを送受信し、送受信に成功したＢＲＰフレームの最後に含まれたビームトレーニングシーケンス（ｂｅａｍ  ｔｒａｉｎｉｎｇ  ｓｅｑｕｅｎｃｅ）を用いて実質的にビームトレーニングを行うビームトレーニング方式である。ＳＬＳは、ビームトレーニングのためにフレームそのものを用いるが、ＢＲＰは、ビームトレーニングシーケンスのみを用いる点が異なる。
【０１０３】
このようなＳＬＳ段階は、ＢＨＩ（Ｂｅａｃｏｎ  Ｈｅａｄｅｒ  Ｉｎｔｅｒｖａｌ）及び／又はＤＴＩ（Ｄａｔａ  Ｔｒａｎｓｆｅｒ  Ｉｎｔｅｒｖａｌ）内で行われる。
【０１０４】
先ず、ＢＨＩの間に行われるＳＬＳ段階は、１１ａｄシステムとの共存のために、１１ａｄシステムにおいて定義されたＳＬＳ段階と同様である。
【０１０５】
次いで、ＤＴＩの間に行われるＳＬＳ段階は、開始子及び応答子間のビームフォーミングトレーニングが行われていないか、ビームフォーミングリンク（ＢＦ  ｌｉｎｋ）を失った場合に行われることができる。この時、開始子及び応答子が１１ａｙ  ＳＴＡである場合、開始子及び応答子はＳＬＳ段階のためにＳＳＷフレームの代わりに短いＳＳＷ（Ｓｈｏｒｔ  ＳＳＷ）フレームを送信してもよい。
【０１０６】
ここで、短いＳＳＷ（Ｓｈｏｒｔ  ＳＳＷ）フレームは、ＤＭＧ制御ＰＨＹ又はＤＭＧ制御モードＰＰＤＵのデータフィールド内の短いＳＳＷパケット（ｐａｃｋｅｔ）が含まれたフレームで定義できる。この場合、短いＳＳＷ（Ｓｈｏｒｔ  ＳＳＷ）パケットの具体的なフォーマットは、短いＳＳＷパケットが送信される用途（例えば：Ｉ−ＴＸＳＳ、Ｒ−ＴＸＳＳなど）に応じてその設定が異なってもよい。
【０１０７】
さらに、ＳＵ−ＭＩＭＯ又はＭＵ−ＭＩＭＯのためのビームフォーミングプロトコールは、ＳＩＳＯ段階（ＳＩＳＯ  ｐｈａｓｅ）及びＭＩＭＯ（ＭＩＭＯ  ｐｈａｓｅ）で構成できる。
【０１０８】
この場合、ＳＩＳＯ段階は、ＭＩＭＯ段階におけるビームフォーミングトレーニングのための候補を選別するために選択的に（ｏｐｔｉｏｎａｌ）適用してもよい。ここで、本発明では、ＳＩＳＯ段階における動作についての説明は省略する。
【０１０９】
ＭＩＭＯ段階において開始子及び応答子は、ＭＩＭＯ送信のための送受信セクター及びアンテナの最適な組み合わせを決定するために、送受信セクター及びＤＭＧアンテナのトレーニングを行う。特に、ＭＵ−ＭＩＭＯの場合、ＭＩＭＯ段階において開始子とＭＵグループ内の各々の応答子は、ＭＩＭＯ送信のための送受信セクター及びアンテナの最適な組み合わせを決定するために、送受信セクター及びＤＭＧアンテナのトレーニングを行う。
【０１１０】
図１４は、本発明に適用可能なＳＵ−ＭＩＭＯのためのＭＩＭＯ段階を簡単に示す図である。図１４に示されたように、ＳＵ−ＭＩＭＯのためのＭＩＭＯ段階は、以下の４つの副段階で構成できる。ＳＵ−ＭＩＭＯ  ＢＦ設定副段階（ＳＵ−ＭＩＭＯ  ＢＦ  ｓｅｔｕｐ  ｓｕｂｐｈａｓｅ）、開始子ＳＵ−ＭＩＭＯ  ＢＦトレーニング副段階（ｉｎｉｔｉａｔｏｒ  ＳＵ−ＭＩＭＯ  ＢＦ  ｔｒａｉｎｉｎｇ（ＳＭＢＴ）ｓｕｂｐｈａｓｅ）、応答子ＳＭＢＴ副段階（ｒｅｓｐｏｎｄｅｒ  ＳＭＢＴ  ｓｕｂｐｈａｓｅ）、及びＳＵ−ＭＩＭＯ  ＢＦフィードバック副段階（ＳＵ−ＭＩＭＯ  ＢＦ  ｆｅｅｄｂａｃｋ  ｓｕｂｐｈａｓｅ）。
【０１１１】
ＳＵ−ＭＩＭＯ  ＢＦ設定副段階において、開始子は応答子に「ＳＵ／ＭＵ」フィールドが１に設定されて「Ｌｉｎｋ  Ｔｙｐｅ」フィールドが１に設定されたＭＩＭＯ  ＢＦ設定フレームを送信することができる。特に、チャネル結合の場合、開始子は応答子に「Ａｇｇｒｅｇａｔｉｏｎ  Ｒｅｑｕｅｓｔｅｄ」フィールドが１に設定されたＭＩＭＯ  ＢＦ設定フレームを送信することができる。ＭＩＭＯ  ＢＦ設定フレームの「ＴＡ（Ｔｒａｎｓｍｉｔｔｅｒ  Ａｄｄｒｅｓｓ）」及び「ＲＡ（Ｒｅｃｅｉｖｅｒ  Ａｄｄｒｅｓｓ）」フィールドのそれぞれは開始子及び応答子のＭＡＣ（Ｍｅｄｉｕｍ  Ａｃｃｅｓｓ  Ｃｏｎｔｒｏｌ）アドレスに設定されることができる。（Ｉｎ  ｔｈｅ  ＳＵ−ＭＩＭＯ  ＢＦ  ｓｅｔｕｐ  ｓｕｂｐｈａｓｅ,  ｔｈｅ  ｉｎｉｔｉａｔｏｒ  ｓｈａｌｌ  ｓｅｎｄ  ａ  ＭＩＭＯ  ＢＦ  Ｓｅｔｕｐ  ｆｒａｍｅ  ｗｉｔｈ  ｔｈｅ  ＳＵ／ＭＵ  ｆｉｅｌｄ  ｓｅｔ  ｔｏ  １  ａｎｄ  ｔｈｅ  Ｌｉｎｋ  Ｔｙｐｅ  ｆｉｅｌｄ  ｓｅｔ  ｔｏ  １  ｔｏ  ｔｈｅ  ｒｅｓｐｏｎｄｅｒ.  Ｉｎ  ｃｈａｎｎｅｌ  ａｇｇｒｅｇａｔｉｏｎ,  ｔｈｅ  ｉｎｉｔｉａｔｏｒ  ｓｈａｌｌ  ｓｅｎｄ  ａ  ＭＩＭＯ  ＢＦ  Ｓｅｔｕｐ  ｆｒａｍｅ  ｗｉｔｈ  ｔｈｅ  Ａｇｇｒｅｇａｔｉｏｎ  Ｒｅｑｕｅｓｔｅｄ  ｆｉｅｌｄ  ｓｅｔ  ｔｏ  １  ｔｏ  ｔｈｅ  ｒｅｓｐｏｎｄｅｒ.  Ｔｈｅ  ＴＡ  ｆｉｅｌｄ  ａｎｄ  ｔｈｅ  ＲＡ  ｆｉｅｌｄ  ｏｆ  ｔｈｅ  ＭＩＭＯ  ＢＦ  Ｓｅｔｕｐ  ｆｒａｍｅ  ｓｈａｌｌ  ｂｅ  ｓｅｔ  ｔｏ  ｔｈｅ  ＭＡＣ  ａｄｄｒｅｓｓｅｓ  ｏｆ  ｔｈｅ  ｉｎｉｔｉａｔｏｒ  ａｎｄ  ｔｈｅ  ｒｅｓｐｏｎｄｅｒ,  ｒｅｓｐｅｃｔｉｖｅｌｙ.）  
【０１１２】
応答子は開始子からＭＩＭＯ  ＢＦ設定フレームを受信した時点よりＳＩＦＳ以後の「ＳＵ／ＭＵ」フィールドが１に設定されて「Ｌｉｎｋ  Ｔｙｐｅ」フィールドが０に設定されたＭＩＭＯ  ＢＦ設定フレームを送信することができる。特に、チャネル結合の場合、応答子は開始子に「Ａｇｇｒｅｇａｔｉｏｎ  Ｒｅｑｕｅｓｔｅｄ」フィールドが１に設定されたＭＩＭＯ  ＢＦ設定フレームを送信することができる。（Ｔｈｅ  ｒｅｓｐｏｎｄｅｒ  ｓｈａｌｌ  ｓｅｎｄ  ａ  ＭＩＭＯ  ＢＦ  Ｓｅｔｕｐ  ｆｒａｍｅ  ｗｉｔｈ  ｔｈｅ  ＳＵ／ＭＵ  ｆｉｅｌｄ  ｓｅｔ  ｔｏ  １  ａｎｄ  ｔｈｅ  Ｌｉｎｋ  Ｔｙｐｅ  ｆｉｅｌｄ  ｓｅｔ  ｔｏ  ０  ａ  ＳＩＦＳ  ｆｏｌｌｏｗｉｎｇ  ｔｈｅ  ｒｅｃｅｐｔｉｏｎ  ｏｆ  ｔｈｅ  ＭＩＭＯ  ＢＦ  Ｓｅｔｕｐ  ｆｒａｍｅ  ｆｒｏｍ  ｔｈｅ  ｉｎｉｔｉａｔｏｒ.  Ｉｎ  ｃｈａｎｎｅｌ  ａｇｇｒｅｇａｔｉｏｎ,  ｔｈｅ  ｒｅｓｐｏｎｄｅｒ  ｓｈａｌｌ  ｓｅｎｄ  ａ  ＭＩＭＯ  ＢＦ  Ｓｅｔｕｐ  ｆｒａｍｅ  ｗｉｔｈ  ｔｈｅ  Ａｇｇｒｅｇａｔｉｏｎ  Ｒｅｑｕｅｓｔｅｄ  ｆｉｅｌｄ  ｓｅｔ  ｔｏ  １  ｔｏ  ｔｈｅ  ｉｎｉｔｉａｔｏｒ.）
【０１１３】
次いで、開始子は応答子からＭＩＭＯ  ＢＦ設定フレームを受信した時点よりＭＢＩＦＳ以後の開始子ＳＭＢＴ副段階を開始することができる。開始子ＳＭＢＴ副段階において、開始子は応答子に（ＴＲＮフィールドを含む）ＥＤＭＧ  ＢＲＰ−ＲＸ／ＴＸパケットを送信することができる。特に、チャネル結合の場合、ＥＤＭＧ  ＢＲＰ−ＲＸ／ＴＸパケットは、非−ＥＤＭＧ複製フォーマットを用いて送信することができる。この場合、送信されるＥＤＭＧ  ＢＲＰ−ＲＸ／ＴＸパケットのそれぞれはＳＩＦＳ間隔で区分することができる。（Ｔｈｅ  ｉｎｉｔｉａｔｏｒ  ｓｈａｌｌ  ｉｎｉｔｉａｔｅ  ｔｈｅ  ｉｎｉｔｉａｔｏｒ  ＳＭＢＴ  ｓｕｂｐｈａｓｅ  ａ  ＭＢＩＦＳ  ｆｏｌｌｏｗｉｎｇ  ｒｅｃｅｐｔｉｏｎ  ｏｆ  ｔｈｅ  ＭＩＭＯ  ＢＦ  Ｓｅｔｕｐ  ｆｒａｍｅ  ｆｒｏｍ  ｔｈｅ  ｒｅｓｐｏｎｄｅｒ.  Ｉｎ  ｔｈｅ  ｉｎｉｔｉａｔｏｒ  ＳＭＢＴ  ｓｕｂｐｈａｓｅ,  ｔｈｅ  ｉｎｉｔｉａｔｏｒ  ｓｈａｌｌ  ｔｒａｎｓｍｉｔ  ＥＤＭＧ  ＢＲＰ−ＲＸ／ＴＸ  ｐａｃｋｅｔｓ  ｔｏ  ｔｈｅ  ｒｅｓｐｏｎｄｅｒ.  Ｉｎ  ｃｈａｎｎｅｌ  ａｇｇｒｅｇａｔｉｏｎ,  ｔｈｅ  ＥＤＭＧ  ＢＲＰ−ＲＸ／ＴＸ  ｐａｃｋｅｔｓ  ｓｈａｌｌ  ｂｅ  ｔｒａｎｓｍｉｔｔｅｄ  ｕｓｉｎｇ  ｔｈｅ  ｎｏｎ−ＥＤＭＧ  ｄｕｐｌｉｃａｔｅ  ｆｏｒｍａｔ.  Ｅａｃｈ  ＥＤＭＧ  ＢＲＰ−ＲＸ／ＴＸ  ｐａｃｋｅｔ  ｓｈａｌｌ  ｂｅ  ｓｅｐａｒａｔｅｄ  ｂｙ  ＳＩＦＳ.）
【０１１４】
この場合、各々の送信されるＥＤＭＧ  ＢＲＰ−ＲＸ／ＴＸパケットは、１つ以上の送信セクター及び（各々の送信セクターのための）一定数の受信ＡＷＶをトレーニングするために用いられる。各々のＥＤＭＧ  ＢＲＰ−ＲＸ／ＴＸパケットにおいて、（各々の選択された送信セクターのために）開始子はＰＰＤＵに応答子が受信ＡＷＶトレーニングを行うためのＴＲＮフィールドを含むことができる。（Ｅａｃｈ  ｔｒａｎｓｍｉｔｔｅｄ  ＥＤＭＧ  ＢＲＰ−ＲＸ／ＴＸ  ｐａｃｋｅｔ  ｉｓ  ｕｓｅｄ  ｔｏ  ｔｒａｉｎ  ｏｎｅ  ｏｒ  ｍｏｒｅ  ｔｒａｎｓｍｉｔ  ｓｅｃｔｏｒｓ  ａｎｄ,  ｆｏｒ  ｅａｃｈ  ｔｒａｎｓｍｉｔ  ｓｅｃｔｏｒ,  ａ  ｎｕｍｂｅｒ  ｏｆ  ｒｅｃｅｉｖｅ  ＡＷＶｓ.  Ｉｎ  ｅａｃｈ  ＥＤＭＧ  ＢＲＰ−ＲＸ／ＴＸ  ｐａｃｋｅｔ,  ｔｈｅ  ｉｎｉｔｉａｔｏｒ  ｓｈａｌｌ  ｉｎｃｌｕｄｅ,  ｆｏｒ  ｅａｃｈ  ｓｅｌｅｃｔｅｄ  ｔｒａｎｓｍｉｔ  ｓｅｃｔｏｒ,  ＴＲＮ  ｓｕｂｆｉｅｌｄｓ  ｉｎ  ｔｈｅ  ＴＲＮ  ｆｉｅｌｄ  ｏｆ  ｔｈｅ  ＰＰＤＵ  ｆｏｒ  ｔｈｅ  ｒｅｓｐｏｎｄｅｒ  ｔｏ  ｐｅｒｆｏｒｍ  ｒｅｃｅｉｖｅ  ＡＷＶ  ｔｒａｉｎｉｎｇ.）  
【０１１５】
次いで、応答子は開始子から「ＢＲＰ  ＣＤＯＷＮ」フィールドが０に設定されたＥＤＭＧ  ＢＲＰ−ＲＸ／ＴＸパケットの受信時点よりＭＢＩＦＳ以後の応答子ＳＭＢＴ副段階を開始することができる。応答子ＳＭＶＴ副段階において、応答子は応答子に（ＴＲＮフィールドを含む）ＥＤＭＧ  ＢＲＰ−ＲＸ／ＴＸパケットを送信することができる。特に、チャネル結合の場合、ＥＤＭＧ  ＢＲＰ−ＲＸ／ＴＸパケットは、非−ＥＤＭＧ複製フォーマットを用いて送信することができる。この場合、送信されるＥＤＭＧ  ＢＲＰ−ＲＸ／ＴＸパケットのそれぞれは、ＳＩＦＳ間隔で区分することができる。（Ｔｈｅ  ｒｅｓｐｏｎｄｅｒ  ｓｈａｌｌ  ｉｎｉｔｉａｔｅ  ｔｈｅ  ｒｅｓｐｏｎｄｅｒ  ＳＭＢＴ  ｓｕｂｐｈａｓｅ  ａ  ＭＢＩＦＳ  ｆｏｌｌｏｗｉｎｇ  ｔｈｅ  ｒｅｃｅｐｔｉｏｎ  ｏｆ  ａｎ  ＥＤＭＧ  ＢＲＰ−ＲＸ／ＴＸ  ｐａｃｋｅｔ  ｗｉｔｈ  ｔｈｅ  ＢＲＰ  ＣＤＯＷＮ  ｆｉｅｌｄ  ｓｅｔ  ｔｏ  ０  ｆｒｏｍ  ｔｈｅ  ｉｎｉｔｉａｔｏｒ.  Ｉｎ  ｔｈｅ  ｒｅｓｐｏｎｄｅｒ  ＳＭＢＴ  ｓｕｂｐｈａｓｅ,  ｔｈｅ  ｒｅｓｐｏｎｄｅｒ  ｓｈａｌｌ  ｔｒａｎｓｍｉｔ  ＥＤＭＧ  ＢＲＰ−ＲＸ／ＴＸ  ｐａｃｋｅｔｓ  ｔｏ  ｔｈｅ  ｉｎｉｔｉａｔｏｒ.  Ｉｎ  ｃｈａｎｎｅｌ  ａｇｇｒｅｇａｔｉｏｎ,  ｔｈｅ  ＥＤＭＧ  ＢＲＰ−ＲＸ／ＴＸ  ｐａｃｋｅｔｓ  ｓｈａｌｌ  ｂｅ  ｔｒａｎｓｍｉｔｔｅｄ  ｕｓｉｎｇ  ｔｈｅ  ｎｏｎ−ＥＤＭＧ  ｄｕｐｌｉｃａｔｅ  ｆｏｒｍａｔ.  Ｅａｃｈ  ＥＤＭＧ  ＢＲＰ−ＲＸ／ＴＸ  ｐａｃｋｅｔ  ｓｈａｌｌ  ｂｅ  ｓｅｐａｒａｔｅｄ  ｂｙ  ＳＩＦＳ.）
【０１１６】
次いで、開始子は応答子から「ＢＲＰ  ＣＤＯＷＮ」フィールドが０に設定されたＥＤＭＧ  ＢＲＰ−ＲＸ／ＴＸパケットの受信時点よりＭＢＩＦＳ以後のＳＵ−ＭＩＭＯ  ＢＦフィードバック副段階を開始することができる。ＳＵ−ＭＩＭＯ  ＢＦフィードバック副段階において送信される全てのフレームは、ＤＭＧ制御モードを用いて送信することができる。ＳＵ−ＭＩＭＯ  ＢＦフィードバック副段階において開始子は「ＳＵ／ＭＵ」フィールドが１に設定されて「Ｌｉｎｋ  Ｔｙｐｅ」フィールドが０に設定されたＭＩＭＯ  ＢＦフィードバックフレームを応答子へ送信することができる。特に、チャネル結合の場合、開始子は応答子に「Ａｇｇｒｅｇａｔｉｏｎ  Ｐｒｅｓｅｎｔ」フィールドが１に設定されたＭＩＭＯ  ＢＦフィードバックフレームを送信することができる。ＭＩＭＯ  ＢＦフィードバックフレームのＴＡフィールドは開始子のＭＡＣアドレスに設定され、ＲＡフィールドは応答子のＭＡＣアドレスに設定されることができる。（Ｔｈｅ  ｉｎｉｔｉａｔｏｒ  ｓｈａｌｌ  ｉｎｉｔｉａｔｅ  ｔｈｅ  ＳＵ−ＭＩＭＯ  ＢＦ  ｆｅｅｄｂａｃｋ  ｓｕｂｐｈａｓｅ  ａ  ＭＢＩＦＳ  ｆｏｌｌｏｗｉｎｇ  ｒｅｃｅｐｔｉｏｎ  ｏｆ  ａｎ  ＥＤＭＧ  ＢＲＰ−ＲＸ／ＴＸ  ｐａｃｋｅｔ  ｗｉｔｈ  ｔｈｅ  ＢＲＰ  ＣＤＯＷＮ  ｆｉｅｌｄ  ｓｅｔ  ｔｏ  ０  ｆｒｏｍ  ｔｈｅ  ｒｅｓｐｏｎｄｅｒ.  Ａｌｌ  ｆｒａｍｅｓ  ｔｒａｎｓｍｉｔｔｅｄ  ｄｕｒｉｎｇ  ｔｈｅ  ＳＵ−ＭＩＭＯ  ＢＦ  ｆｅｅｄｂａｃｋ  ｓｕｂｐｈａｓｅ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ.  Ｉｎ  ｔｈｅ  ＳＵ−ＭＩＭＯ  ＢＦ  ｆｅｅｄｂａｃｋ  ｓｕｂｐｈａｓｅ,  ｔｈｅ  ｉｎｉｔｉａｔｏｒ  ｓｈａｌｌ  ｓｅｎｄ  ｔｏ  ｔｈｅ  ｒｅｓｐｏｎｄｅｒ  ａ  ＭＩＭＯ  ＢＦ  Ｆｅｅｄｂａｃｋ  ｆｒａｍｅ  ｗｉｔｈ  ｔｈｅ  ＳＵ／ＭＵ  ｆｉｅｌｄ  ｓｅｔ  ｔｏ  １  ａｎｄ  ｔｈｅ  Ｌｉｎｋ  Ｔｙｐｅ  ｆｉｅｌｄ  ｓｅｔ  ｔｏ  ０.  Ｉｎ  ｃｈａｎｎｅｌ  ａｇｇｒｅｇａｔｉｏｎ,  ｔｈｅ  ｉｎｉｔｉａｔｏｒ  ｓｈａｌｌ  ｓｅｎｄ  ａ  ＭＩＭＯ  ＢＦ  Ｆｅｅｄｂａｃｋ  ｆｒａｍｅ  ｗｉｔｈ  ｔｈｅ  Ａｇｇｒｅｇａｔｉｏｎ  Ｐｒｅｓｅｎｔ  ｆｉｅｌｄ  ｓｅｔ  ｔｏ  １  ｔｏ  ｔｈｅ  ｒｅｓｐｏｎｄｅｒ.  Ｔｈｅ  ＴＡ  ｆｉｅｌｄ  ｏｆ  ｔｈｅ  ＭＩＭＯ  ＢＦ  Ｆｅｅｄｂａｃｋ  ｆｒａｍｅ  ｓｈａｌｌ  ｂｅ  ｓｅｔ  ｔｏ  ｔｈｅ  ＭＡＣ  ａｄｄｒｅｓｓ  ｏｆ  ｔｈｅ  ｉｎｉｔｉａｔｏｒ  ａｎｄ  ｔｈｅ  ＲＡ  ｆｉｅｌｄ  ｓｈａｌｌ  ｂｅ  ｓｅｔ  ｔｏ  ｔｈｅ  ＭＡＣ  ａｄｄｒｅｓｓ  ｏｆ  ｔｈｅ  ｒｅｓｐｏｎｄｅｒ.）
【０１１７】
応答子は開始子からＭＩＭＯ  ＢＦフィードバックフレームを受信した時点よりＳＩＦＳ以後の「ＳＵ／ＭＵ」フィールドが１に設定されて「Ｌｉｎｋ  Ｔｙｐｅ」フィールドが１に設定されたＭＩＭＯ  ＢＦフィードバックフレームを送信することができる。特に、チャネル結合の場合、応答子は開始子に「Ａｇｇｒｅｇａｔｉｏｎ  Ｐｒｅｓｅｎｔ」フィールドが１に設定されたＭＩＭＯ  ＢＦフィードバックフレームを送信することができる。ＭＩＭＯ  ＢＦフィードバックフレームのＴＡフィールドは応答子のＭＡＣアドレスに設定され、ＲＡフィールドは開始子のＭＡＣアドレスに設定されることができる。（Ｔｈｅ  ｒｅｓｐｏｎｄｅｒ  ｓｈａｌｌ  ｓｅｎｄ  ａ  ＭＩＭＯ  ＢＦ  Ｆｅｅｄｂａｃｋ  ｆｒａｍｅ  ｔｏ  ｔｈｅ  ｉｎｉｔｉａｔｏｒ  ｗｉｔｈ  ｔｈｅ  ＳＵ／ＭＵ  ｆｉｅｌｄ  ｓｅｔ  ｔｏ  １  ａｎｄ  ｔｈｅ  Ｌｉｎｋ  Ｔｙｐｅ  ｆｉｅｌｄ  ｓｅｔ  ｔｏ  １  ａ  ＳＩＦＳ  ｆｏｌｌｏｗｉｎｇ  ｒｅｃｅｐｔｉｏｎ  ｏｆ  ａ  ＭＩＭＯ  ＢＦ  Ｆｅｅｄｂａｃｋ  ｆｒａｍｅ  ｆｒｏｍ  ｔｈｅ  ｉｎｉｔｉａｔｏｒ.  Ｉｎ  ｃｈａｎｎｅｌ  ａｇｇｒｅｇａｔｉｏｎ,  ｔｈｅ  ｒｅｓｐｏｎｄｅｒ  ｓｈａｌｌ  ｓｅｎｄ  ａ  ＭＩＭＯ  ＢＦ  Ｆｅｅｄｂａｃｋ  ｆｒａｍｅ  ｗｉｔｈ  ｔｈｅ  Ａｇｇｒｅｇａｔｉｏｎ  Ｐｒｅｓｅｎｔ  ｆｉｅｌｄ  ｓｅｔ  ｔｏ  １  ｔｏ  ｔｈｅ  ｉｎｉｔｉａｔｏｒ.  Ｔｈｅ  ＴＡ  ｆｉｅｌｄ  ｏｆ  ｔｈｅ  ＭＩＭＯ  ＢＦ  Ｆｅｅｄｂａｃｋ  ｓｈａｌｌ  ｂｅ  ｓｅｔ  ｔｏ  ｔｈｅ  ＭＡＣ  ａｄｄｒｅｓｓ  ｏｆ  ｔｈｅ  ｒｅｓｐｏｎｄｅｒ  ａｎｄ  ｔｈｅ  ＲＡ  ｆｉｅｌｄ  ｓｈａｌｌ  ｂｅ  ｓｅｔ  ｔｏ  ｔｈｅ  ＭＡＣ  ａｄｄｒｅｓｓ  ｏｆ  ｔｈｅ  ｉｎｉｔｉａｔｏｒ.）
【０１１８】
さらに、ＭＵ−ＭＩＭＯのためのＭＩＭＯ段階は、下りリンクＭＩＭＯ段階（Ｄｏｗｎｌｉｎｋ  ＭＩＭＯ  ｐｈａｓｅ）及び上りリンクＭＩＭＯ段階（Ｕｐｌｉｎｋ  ＭＩＭＯ  ｐｈａｓｅ）で構成することができる。
【０１１９】
図１５は、本発明に適用可能な下りリンクＭＩＭＯ段階を簡単に示す図である。
【０１２０】
図１５に示されたように、下りリンクＭＩＭＯ段階は、以下の４副段階で構成できる：ＭＵ−ＭＩＭＯ  ＢＦ設定副段階（ＭＵ−ＭＩＭＯ  ｓｅｔｕｐ  ｓｕｂｐｈａｓｅ）、ＭＵ−ＭＩＭＯ  ＢＦトレーニング副段階（ＭＵ−ＭＩＭＯ  ＢＦ  ｔｒａｉｎｉｎｇ  ｓｕｂｐｈａｓｅ）、ＭＵ−ＭＩＭＯ  ＢＦフィードバック副段階（ＭＵ−ＭＩＭＯ  ＢＦ  ｆｅｅｄｂａｃｋ  ｓｕｂｐｈａｓｅ）、及びＭＵ−ＭＩＭＯ  ＢＦ選択副段階（ＭＵ−ＭＩＭＯ  ＢＦ  ｓｅｌｅｃｔｉｏｎ  ｓｕｂｐｈａｓｅ）。
【０１２１】
ここで、ＭＵ−ＭＩＭＯ  ＢＦトレーニング副段階及びＭＵ−ＭＩＭＯ  ＢＦフィードバック副段階は、条件によってはＭＩＭＯ段階に存在しなくてもよい。
【０１２２】
ＭＵ−ＭＩＭＯ  ＢＦ設定副段階において、開始子は「ＳＵ／ＭＵ」フィールドが０に設定されて「ＤＬ／ＵＬ  ＭＩＭＯ  Ｐｈａｓｅ」フィールドが１に設定された１つ以上のＭＩＭＯ  ＢＦ設定フレームをＭＵグループ内の各々の応答子に送信することができる。特に、チャネル結合の場合、開始子は「Ａｇｇｒｅｇａｔｉｏｎ  Ｒｅｑｕｅｓｔｅｄ」フィールドが１に設定された１つ以上のＭＩＭＯ  ＢＦ設定フレームをＭＵグループ内の各々の応答子に送信することができる。開始子はＭＵグループ内の全ての応答子に到達可能な最小限のＭＩＭＯ  ＢＦ設定フレームを送信することができる。（Ｉｎ  ｔｈｅ  ＭＵ−ＭＩＭＯ  ＢＦ  ｓｅｔｕｐ  ｓｕｂｐｈａｓｅ,  ｔｈｅ  ｉｎｉｔｉａｔｏｒ  ｓｈａｌｌ  ｔｒａｎｓｍｉｔ  ｏｎｅ  ｏｒ  ｍｏｒｅ  ＭＩＭＯ  ＢＦ  Ｓｅｔｕｐ  ｆｒａｍｅ  ｗｉｔｈ  ｔｈｅ  ＳＵ／ＭＵ  ｆｉｅｌｄ  ｓｅｔ  ｔｏ  ０  ａｎｄ  ｔｈｅ  ＤＬ／ＵＬ  ＭＩＭＯ  Ｐｈａｓｅ  ｆｉｅｌｄ  ｓｅｔ  ｔｏ  １  ｔｏ  ｅａｃｈ  ｒｅｓｐｏｎｄｅｒ  ｉｎ  ｔｈｅ  ＭＵ  ｇｒｏｕｐ.  Ｉｎ  ｃｈａｎｎｅｌ  ａｇｇｒｅｇａｔｉｏｎ,  ｔｈｅ  ｉｎｉｔｉａｔｏｒ  ｓｈａｌｌ  ｓｅｎｄ  ｏｎｅ  ｏｒ  ｍｏｒｅ  ＭＩＭＯ  ＢＦ  Ｓｅｔｕｐ  ｆｒａｍｅ  ｗｉｔｈ  ｔｈｅ  Ａｇｇｒｅｇａｔｉｏｎ  Ｒｅｑｕｅｓｔｅｄ  ｆｉｅｌｄ  ｓｅｔ  ｔｏ  １  ｔｏ  ｅａｃｈ  ｒｅｓｐｏｎｄｅｒ  ｉｎ  ｔｈｅ  ＭＵ  ｇｒｏｕｐ.  Ｔｈｅ  ｉｎｉｔｉａｔｏｒ  ｓｈｏｕｌｄ  ｔｒａｎｓｍｉｔ  ｔｈｅ  ｍｉｎｉｍｕｍ  ｎｕｍｂｅｒ  ｏｆ  ＭＩＭＯ  ＢＦ  Ｓｅｔｕｐ  ｆｒａｍｅｓ  ｔｏ  ｒｅａｃｈ  ａｌｌ  ｒｅｓｐｏｎｄｅｒｓ  ｉｎ  ｔｈｅ  ＭＵ  ｇｒｏｕｐ.）
【０１２３】
ＭＩＭＯ  ＢＦ設定フレームは、ＤＭＧ制御モード又はＤＭＧ制御変調クラスと共に送信される非−ＥＤＭＧ複製ＰＰＤＵを用いて送信することができる。（Ｔｈｅ  ＭＩＭＯ  ＢＦ  Ｓｅｔｕｐ  ｆｒａｍｅｓ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ  ｏｒ  ｕｓｉｎｇ  ａ  ｎｏｎ−ＥＤＭＧ  ｄｕｐｌｉｃａｔｅ  ＰＰＤＵ  ｔｒａｎｓｍｉｔｔｅｄ  ｗｉｔｈ  ｔｈｅ  ＤＭＧ  Ｃｏｎｔｒｏｌ  ｍｏｄｕｌａｔｉｏｎ  ｃｌａｓｓ.）
【０１２４】
ＭＩＭＯ  ＢＦ設定フレームのＴＡ（Ｔｒａｎｓｍｉｔｔｅｒ  Ａｄｄｒｅｓｓ）フィールドは、開始子のＢＳＳＩＤに設定され、ＭＩＭＯ  ＢＦ設定フレームのＲＡフィールドは、放送アドレス（ｂｒｏａｄｃａｓｔ  ａｄｄｒｅｓｓ）に設定される。
【０１２５】
ＭＩＭＯ  ＢＦ設定フレームは、ＥＤＭＧ  Ｇｒｏｕｐ  ＩＰフィールドにおいてＭＵグループ内のＥＤＭＧ  Ｇｒｏｕｐ  ＩＤを指示し、Ｇｒｏｕｐ  Ｕｓｅｒ  Ｍａｓｋフィールドにおいてそれぞれ残りの応答子を指示し、ＭＵ−ＭＩＭＯ  ＢＦトレーニングを識別するために、Ｄｉａｌｏｇ  Ｔｏｋｅｎフィールドにおいて格別なｄｉａｌｏｇ  ｔｏｋｅｎを指示する。（Ｔｈｅ  ＭＩＭＯ  ＢＦ  Ｓｅｔｕｐ  ｆｒａｍｅ  ｓｈａｌｌ  ｉｎｄｉｃａｔｅ  ｔｈｅ  ＥＤＭＧ  ｇｒｏｕｐ  ＩＤ  ｏｆ  ｔｈｅ  ＭＵ  ｇｒｏｕｐ  ｉｎ  ｔｈｅ  ＥＤＭＧ  Ｇｒｏｕｐ  ＩＤ  ｆｉｅｌｄ,  ｅａｃｈ  ｒｅｍａｉｎｉｎｇ  ｒｅｓｐｏｎｄｅｒ  ｉｎ  ｔｈｅ  Ｇｒｏｕｐ  Ｕｓｅｒ  Ｍａｓｋ  ｆｉｅｌｄ,  ａｎｄ  ａ  ｕｎｉｑｕｅ  ｄｉａｌｏｇ  ｔｏｋｅｎ  ｉｎ  ｔｈｅ  Ｄｉａｌｏｇ  Ｔｏｋｅｎ  ｆｉｅｌｄ  ｆｏｒ  ｉｄｅｎｔｉｆｙｉｎｇ  ＭＵ−ＭＩＭＯ  ＢＦ  ｔｒａｉｎｉｎｇ.）
【０１２６】
ＭＵ−ＭＩＭＯ  ＢＦトレーニング時間を減らすために、開始子はＳＩＳＯ段階において応答子から受信されたフィードバック内のＬ−ＴＸ−ＲＸサブフィールド及びＥＤＭＧ  ＴＲＮ−Ｕｎｉｔ  Ｍサブフィールドに基づいて、各々のＤＭＧアンテナのためのＴＸセクターのサブセット及びＡＷＶトレーニング受信のためのＴＲＮサブフィールドの数を選択することができる。（Ｔｏ  ｒｅｄｕｃｅ  ｔｈｅ  ＭＵ−ＭＩＭＯ  ＢＦ  ｔｒａｉｎｉｎｇ  ｔｉｍｅ,  ｔｈｅ  ｉｎｉｔｉａｔｏｒ  ｍａｙ  ｓｅｌｅｃｔ  ａ  ｓｕｂｓｅｔ  ｏｆ  ＴＸ  ｓｅｃｔｏｒｓ  ｆｏｒ  ｅａｃｈ  ＤＭＧ  ａｎｔｅｎｎａ  ａｎｄ  ｔｈｅ  ｎｕｍｂｅｒ  ｏｆ  ＴＲＮ  ｓｕｂｆｉｅｌｄｓ  ｒｅｑｕｉｒｅｄ  ｆｏｒ  ｒｅｃｅｉｖｅ  ＡＷＶ  ｔｒａｉｎｉｎｇ  ｂａｓｅｄ  ｏｎ  ｔｈｅ  Ｌ−ＴＸ−ＲＸ  ｓｕｂｆｉｅｌｄｓ  ａｎｄ  ｔｈｅ  ＥＤＭＧ  ＴＲＮ−Ｕｎｉｔ  Ｍ  ｓｕｂｆｉｅｌｄｓ  ｉｎ  ｔｈｅ  ｆｅｅｄｂａｃｋ  ｆｒｏｍ  ｒｅｓｐｏｎｄｅｒｓ  ｒｅｃｅｉｖｅｄ  ａｔ  ｔｈｅ  ＳＩＳＯ  ｐｈａｓｅ.）
【０１２７】
受信されたＭＩＭＯ  ＢＦ設定フレームのＧｒｏｕｐ  Ｕｓｅｒ  Ｍａｓｋフィールド内の対応するビットが０に設定された応答子は、続くＭＵ−ＭＩＭＯ  ＢＦトレーニング副段階及びＭＵ−ＭＩＭＯ  ＢＦフィードバック副段階において送信されるフレームを無視することができる。（Ａ  ｒｅｓｐｏｎｄｅｒ  ｗｈｏｓｅ  ｃｏｒｒｅｓｐｏｎｄｉｎｇ  ｂｉｔ  ｉｎ  ｔｈｅ  Ｇｒｏｕｐ  Ｕｓｅｒ  Ｍａｓｋ  ｆｉｅｌｄ  ｏｆ  ｔｈｅ  ｒｅｃｅｉｖｅｄ  ＭＩＭＯ  ＢＦ  Ｓｅｔｕｐ  ｆｒａｍｅ  ｉｓ  ｓｅｔ  ｔｏ  ０  ｃａｎ  ｉｇｎｏｒｅ  ｆｒａｍｅｓ  ｔｒａｎｓｍｉｔｔｅｄ  ｉｎ  ｔｈｅ  ｆｏｌｌｏｗｉｎｇ  ＭＵ−ＭＩＭＯ  ＢＦ  ｔｒａｉｎｉｎｇ  ｓｕｂｐｈａｓｅ  ａｎｄ  ＭＵ−ＭＩＭＯ  ＢＦ  ｆｅｅｄｂａｃｋ  ｓｕｂｐｈａｓｅ.）
【０１２８】
開始子はＭＩＭＯ  ＢＦ設定フレームの送信時点よりＭＢＩＦＳ以後のＭＵ−ＭＩＭＯ  ＢＦトレーニング副段階を開始することができる。ＭＵ−ＭＩＭＯ  ＢＦトレーニング副段階において、開始子はＭＵグループ内の残りの応答子に１つ以上のＥＤＭＧ  ＢＲＰ／ＲＸ／ＴＸパケットを送信することができる。特に、チャネル結合の場合、各々のＥＤＭＧ  ＢＲＰ−ＲＸ／ＴＸパケットは、非−ＥＤＭＧ複製フォーマットを用いて送信することができる。各々のＥＤＭＧ  ＢＲＰ−ＲＸ／ＴＸパケットは、ＳＩＩＦＳによって区分することができる。（Ｔｈｅ  ｉｎｉｔｉａｔｏｒ  ｓｈａｌｌ  ｉｎｉｔｉａｔｅ  ｔｈｅ  ＭＵ−ＭＩＭＯ  ＢＦ  ｔｒａｉｎｉｎｇ  ｓｕｂｐｈａｓｅ  ａ  ＭＢＩＦＳ  ｆｏｌｌｏｗｉｎｇ  ｔｈｅ  ｔｒａｎｓｍｉｓｓｉｏｎ  ｏｆ  ｔｈｅ  ＭＩＭＯ  ＢＦ  Ｓｅｔｕｐ  ｆｒａｍｅ.  Ｉｎ  ｔｈｅ  ＭＵ−ＭＩＭＯ  ＢＦ  ｔｒａｉｎｉｎｇ  ｓｕｂｐｈａｓｅ,  ｔｈｅ  ｉｎｉｔｉａｔｏｒ  ｓｈａｌｌ  ｔｒａｎｓｍｉｔ  ｏｎｅ  ｏｒ  ｍｏｒｅ  ＥＤＭＧ  ＢＲＰ−ＲＸ／ＴＸ  ｐａｃｋｅｔｓ  ｔｏ  ｔｈｅ  ｒｅｍａｉｎｉｎｇ  ｒｅｓｐｏｎｄｅｒｓ  ｉｎ  ｔｈｅ  ＭＵ  ｇｒｏｕｐ.  Ｉｎ  ｃｈａｎｎｅｌ  ａｇｇｒｅｇａｔｉｏｎ,  ｅａｃｈ  ＥＤＭＧ  ＢＲＰ−ＲＸ／ＴＸ  ｐａｃｋｅｔｓ  ｓｈａｌｌ  ｂｅ  ｔｒａｎｓｍｉｔｔｅｄ  ｕｓｉｎｇ  ｔｈｅ  ｎｏｎ−ＥＤＭＧ  ｄｕｐｌｉｃａｔｅ  ｆｏｒｍａｔ.  Ｅａｃｈ  ＥＤＭＧ  ＢＲＰ−ＲＸ／ＴＸ  ｐａｃｋｅｔ  ｓｈａｌｌ  ｂｅ  ｓｅｐａｒａｔｅｄ  ｂｙ  ＳＩＦＳ.）
【０１２９】
特に、ＭＵ−ＭＩＭＯ  ＢＦトレーニング副段階において、開始子はＥＤＭＧ  ＰＨＹ階層を用いてＢＲＰフレームを送信する。（Ｉｎ  ｔｈｅ  ＭＵ−ＭＩＭＯ  ＢＦ  ｔｒａｉｎｉｎｇ  ｓｕｂｐｈａｓｅ,  ｔｈｅ  ｉｎｉｔｉａｔｏｒ  ｓｈａｌｌ  ｔｒａｎｓｍｉｔ  ＢＲＰ  ｆｒａｍｅｓ  ｕｓｉｎｇ  ｔｈｅ  ＥＤＭＧ  ＰＨＹ.）送信されたＢＲＰフレームは、各々の送信セクターのために１つ以上の送信セクター及び一定数の受信ＡＷＶをトレーニングするために用いられる。（Ｅａｃｈ  ｔｒａｎｓｍｉｔｔｅｄ  ＢＲＰ  ｆｒａｍｅ  ｉｓ  ｕｓｅｄ  ｔｏ  ｔｒａｉｎ  ｏｎｅ  ｏｒ  ｍｏｒｅ  ｔｒａｎｓｍｉｔ  ｓｅｃｔｏｒｓ  ａｎｄ,  ｆｏｒ  ｅａｃｈ  ｔｒａｎｓｍｉｔ  ｓｅｃｔｏｒ,  ａ  ｎｕｍｂｅｒ  ｏｆ  ｒｅｃｅｉｖｅ  ＡＷＶｓ.）各々のＢＲＰフレーム内の開始子は、各々の選択されたセクターのために、意図された応答子が受信セクタートレーニングを行うようにＴＲＮフィールド内にＴＲＮ−Ｕｎｉｔを含む。（Ｉｎ  ｅａｃｈ  ＢＲＰ  ｆｒａｍｅ  ｔｈｅ  ｉｎｉｔｉａｔｏｒ  ｓｈａｌｌ  ｉｎｃｌｕｄｅ,  ｆｏｒ  ｅａｃｈ  ｓｅｌｅｃｔｅｄ  ｓｅｃｔｏｒ,  ＴＲＮ−Ｕｎｉｔｓ  ｉｎ  ｔｈｅ  ＴＲＮ  ｆｉｅｌｄ  ｆｏｒ  ｉｎｔｅｎｄｅｄ  ｒｅｓｐｏｎｄｅｒｓ  ｔｏ  ｐｅｒｆｏｒｍ  ｒｅｃｅｉｖｅ  ｓｅｃｔｏｒ  ｔｒａｉｎｉｎｇ.）  
【０１３０】
ＴＲＮフィールド内に含まれたＴＲＮ−Ｕｎｉｔの数は、ＳＩＳＯ段階からのフィードバックに基づいて、意図された残りの全ての応答子にわたる最大の受信セクターの数である必要がある。（Ｔｈｅ  ｎｕｍｂｅｒ  ｏｆ  ＴＲＮ−Ｕｎｉｔ  ｉｎｃｌｕｄｅｄ  ｉｎ  ｔｈｅ  ＴＲＮ  ｆｉｅｌｄ  ｓｈｏｕｌｄ  ｂｅ  ｔｈｅ  ｍａｘｉｍｕｍ  ｎｕｍｂｅｒ  ｏｆ  ｒｅｃｅｉｖｅ  ｓｅｃｔｏｒｓ  ａｃｒｏｓｓ  ａｌｌ  ｔｈｅ  ｒｅｍａｉｎｉｎｇ  ｉｎｔｅｎｄｅｄ  ｒｅｓｐｏｎｄｅｒｓ  ｂａｓｅｄ  ｏｎ  ｔｈｅ  ｆｅｅｄｂａｃｋ  ｆｒｏｍ  ｔｈｅ  ＳＩＳＯ  ｐｈａｓｅ.）  
【０１３１】
開始子は同一のＢＲＰフレームを介して（最大４つ）送信ＤＭＢアンテナを同時にトレーニングするように直交波形のＢＲＰフレームを送信することができ、これにより、トレーニング時間を減らすことができる。（Ａｎ  ｉｎｉｔｉａｔｏｒ  ｍａｙ  ｔｒａｎｓｍｉｔ  ａ  ＢＲＰ  ｆｒａｍｅ  ｗｉｔｈ  ｏｒｔｈｏｇｏｎａｌ  ｗａｖｅｆｏｒｍｓ  ｔｏ  ｔｒａｉｎ  ｍｕｌｔｉｐｌｅ  （ｕｐ  ｔｏ  ４）  ｔｒａｎｓｍｉｔ  ＤＭＧ  ａｎｔｅｎｎａｓ  ｓｉｍｕｌｔａｎｅｏｕｓｌｙ  ｔｈｒｏｕｇｈ  ｔｈｅ  ｓａｍｅ  ＢＲＰ  ｆｒａｍｅ  ａｎｄ  ｈｅｎｃｅ  ｒｅｄｕｃｅ  ｔｈｅ  ｔｒａｉｎｉｎｇ  ｔｉｍｅ.）  
【０１３２】
ＭＵ−ＭＩＭＯ  ＢＦトレーニング副段階は、ＢＲＰフレームのＴＸＶＥＣＴＯＲパラメータＥＤＭＧ＿ＴＲＮ＿ＬＥＮを０より大きい値に設定して、ＴＸＶＥＣＴＯＲパラメータＲＸ＿ＴＲＮ＿ＰＥＲ＿ＴＸ＿ＴＲＮを１より大きい値に設定することで行われる。（Ｔｈｅ  ＭＵ−ＭＩＭＯ  ＢＦ  ｔｒａｉｎｉｎｇ  ｓｕｂｐｈａｓｅ  ｉｓ  ｐｅｒｆｏｒｍｅｄ  ｂｙ  ｓｅｔｔｉｎｇ,  ｆｏｒ  ａ  ＢＲＰ  ｆｒａｍｅ,  ｔｈｅ  ＴＸＶＥＣＴＯＲ  ｐａｒａｍｅｔｅｒ  ＥＤＭＧ＿ＴＲＮ＿ＬＥＮ  ｔｏ  ａ  ｖａｌｕｅ  ｇｒｅａｔｅｒ  ｔｈａｎ  ｚｅｒｏ  ａｎｄ  ｔｈｅ  ｐａｒａｍｅｔｅｒ  ＲＸ＿ＴＲＮ＿ＰＥＲ＿ＴＸ＿ＴＲＮ  ｔｏ  ａ  ｖａｌｕｅ  ｇｒｅａｔｅｒ  ｔｈａｎ  ｏｎｅ.）
【０１３３】
開始子は「ＢＲＰ  ＣＤＯＷＮ」フィールドが０に設定されたＥＤＭＧ  ＢＲＰ  ＲＸ−ＴＸパケットの送信時点よりＭＢＩＦＳ以後のＭＵ−ＭＩＭＯ  ＢＦフィードバック副段階を開始することができる。ＭＵ−ＭＩＭＯ  ＢＦフィードバック副段階において、開始子は、先行されたＭＵ−ＭＩＭＯ  ＢＦトレーニング副段階からのＭＵ−ＭＩＭＯフィードバックを残りの各々の応答子から収集するためポーリングのために「Ｐｏｌｌ  ｔｙｐｅ」フィールドが０に設定されたＭＩＭＯ  ＢＦ  Ｐｏｌｌフレームを送信することができる。ＭＩＭＯ  ＢＦポールフレームは、ＤＭＧ制御モードを用いて送信することができる。（Ｔｈｅ  ｉｎｉｔｉａｔｏｒ  ｓｈａｌｌ  ｉｎｉｔｉａｔｅ  ｔｈｅ  ＭＵ−ＭＩＭＯ  ＢＦ  ｆｅｅｄｂａｃｋ  ｓｕｂｐｈａｓｅ  ａ  ＭＢＩＦＳ  ｆｏｌｌｏｗｉｎｇ  ｔｈｅ  ｔｒａｎｓｍｉｓｓｉｏｎ  ｏｆ  ｔｈｅ  ＥＤＭＧ  ＢＲＰ  ＲＸ−ＴＸ  ｐａｃｋｅｔ  ｗｉｔｈ  ｔｈｅ  ＢＲＰ  ＣＤＯＷＮ  ｆｉｅｌｄ  ｓｅｔ  ｔｏ  ０.  Ｉｎ  ｔｈｅ  ＭＵ−ＭＩＭＯ  ＢＦ  ｆｅｅｄｂａｃｋ  ｓｕｂｐｈａｓｅ,  ｔｈｅ  ｉｎｉｔｉａｔｏｒ  ｓｈａｌｌ  ｔｒａｎｓｍｉｔ  ａ  ＭＩＭＯ  ＢＦ  Ｐｏｌｌ  ｆｒａｍｅ  ｗｉｔｈ  ｔｈｅ  Ｐｏｌｌ  Ｔｙｐｅ  ｆｉｅｌｄ  ｓｅｔ  ｔｏ  ０  ｔｏ  ｐｏｌｌ  ｅａｃｈ  ｒｅｍａｉｎｉｎｇ  ｒｅｓｐｏｎｄｅｒ  ｔｏ  ｃｏｌｌｅｃｔ  ＭＵ−ＭＩＭＯ  ＢＦ  ｆｅｅｄｂａｃｋ  ｆｒｏｍ  ｔｈｅ  ｐｒｅｃｅｄｉｎｇ  ＭＵ−ＭＩＭＯ  ＢＦ  ｔｒａｉｎｉｎｇ  ｓｕｂｐｈａｓｅ.  Ｔｈｅ  ＭＩＭＯ  ＢＦ  Ｐｏｌｌ  ｆｒａｍｅｓ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ.）
【０１３４】
残りの応答子が受信子とするＭＩＭＯ  ＢＦポールフレームを受信した場合、応答子は開始子に「ＳＵ／ＭＵ」フィールドが１に設定されたＭＩＭＯ  ＢＦフィードバックフレームを送信することができる。特に、チャネル結合の場合、応答子は開始子に「Ａｇｇｒｅｇａｔｉｏｎ  Ｐｒｅｓｅｎｔ」フィールドが１に設定されたＭＩＭＯ  ＢＦフィードバックフレームを送信することができる。ＭＩＭＯ  ＢＦフィードバックフレームのＲＡフィールドは開始子のＢＳＳＩＤ（Ｂａｓｉｃ  Ｓｅｒｖｉｃｅ  Ｓｅｔ  Ｉｄｅｎｔｉｔｙ）に設定され、ＴＡフィールドは応答子のＭＡＣアドレスに設定されることができる。（Ｕｐｏｎ  ｒｅｃｅｉｖｉｎｇ  ａ  ＭＩＭＯ  ＢＦ  Ｐｏｌｌ  ｆｒａｍｅ  ｆｏｒ  ｗｈｉｃｈ  ａ  ｒｅｍａｉｎｉｎｇ  ｒｅｓｐｏｎｄｅｒ  ｉｓ  ｔｈｅ  ａｄｄｒｅｓｓｅｄ  ｒｅｃｉｐｉｅｎｔ,  ｔｈｅ  ｒｅｓｐｏｎｄｅｒ  ｓｈａｌｌ  ｔｒａｎｓｍｉｔ  ａ  ＭＩＭＯ  ＢＦ  Ｆｅｅｄｂａｃｋ  ｆｒａｍｅ  ｗｉｔｈ  ｔｈｅ  ＳＵ／ＭＵ  ｆｉｅｌｄ  ｓｅｔ  ｔｏ  １  ｔｏ  ｔｈｅ  ｉｎｉｔｉａｔｏｒ.  Ｉｎ  ｃｈａｎｎｅｌ  ａｇｇｒｅｇａｔｉｏｎ,  ｔｈｅ  ｒｅｓｐｏｎｄｅｒ  ｓｈａｌｌ  ｓｅｎｄ  ａ  ＭＩＭＯ  ＢＦ  Ｆｅｅｄｂａｃｋ  ｆｒａｍｅ  ｗｉｔｈ  ｔｈｅ  Ａｇｇｒｅｇａｔｉｏｎ  Ｐｒｅｓｅｎｔ  ｆｉｅｌｄ  ｓｅｔ  ｔｏ  １  ｔｏ  ｔｈｅ  ｉｎｉｔｉａｔｏｒ.  Ｔｈｅ  ＲＡ  ｆｉｅｌｄ  ｏｆ  ｔｈｅ  ＭＩＭＯ  ＢＦ  Ｆｅｅｄｂａｃｋ  ｆｒａｍｅ  ｓｈａｌｌ  ｂｅ  ｓｅｔ  ｔｏ  ｔｈｅ  ＢＳＳＩＤ  ｏｆ  ｔｈｅ  ｉｎｉｔｉａｔｏｒ  ａｎｄ  ｔｈｅ  ＴＡ  ｆｉｅｌｄ  ｓｈａｌｌ  ｂｅ  ｓｅｔ  ｔｏ  ｔｈｅ  ＭＡＣ  ａｄｄｒｅｓｓ  ｏｆ  ｔｈｅ  ｒｅｓｐｏｎｄｅｒ.）
【０１３５】
応答子により搬送された各々のＭＩＭＯ  ＢＦフィードバックポールフレーム及びＭＩＭＯ  ＢＦフィードバックフレームはＳＩＦＳによって区分される。（Ｅａｃｈ  ＭＩＭＯ  ＢＦ  Ｆｅｅｄｂａｃｋ  Ｐｏｌｌ  ｆｒａｍｅ  ａｎｄ  ＭＩＭＯ  ＢＦ  Ｆｅｅｄｂａｃｋ  ｆｒａｍｅ  ｓｅｎｔ  ｂａｃｋ  ｂｙ  ｔｈｅ  ｒｅｓｐｏｎｄｅｒ  ｓｈａｌｌ  ｂｅ  ｓｅｐａｒａｔｅｄ  ｂｙ  ＳＩＦＳ.）各々のＭＩＭＯ  ＢＦフィードバックポールフレームは、ＭＵ−ＭＩＭＯ  ＢＦトレーニングを識別するｄｉａｌｏｇ  ｔｏｋｅｎを運ぶ。（Ｅａｃｈ  ＭＩＭＯ  ＢＦ  Ｆｅｅｄｂａｃｋ  Ｐｏｌｌ  ｆｒａｍｅ  ｃａｒｒｉｅｓ  ｔｈｅ  ｄｉａｌｏｇ  ｔｏｋｅｎ  ｔｈａｔ  ｉｄｅｎｔｉｆｉｅｓ  ｔｈｅ  ＭＵ−ＭＩＭＯ  ＢＦ  ｔｒａｉｎｉｎｇ.）このＭＩＭＯ  ＢＦフィードバックフレームは、受信された開始子の送信ＤＭＧアンテナ／セクターのリストを、それぞれ対応する応答子の受信ＤＭＧアンテナ／セクター及び関連する指示された品質と共に運ぶ。（Ｔｈｅ  ＭＩＭＯ  ＢＦ  Ｆｅｅｄｂａｃｋ  ｆｒａｍｅ  ｃａｒｒｉｅｓ  ｔｈｅ  ｌｉｓｔ  ｏｆ  ｒｅｃｅｉｖｅｄ  ｉｎｉｔｉａｔｏｒ’ｓ  ｔｒａｎｓｍｉｔ  ＤＭＧ  ａｎｔｅｎｎａｓ／ｓｅｃｔｏｒｓ,  ｅａｃｈ  ｗｉｔｈ  ｉｔｓ  ｃｏｒｒｅｓｐｏｎｄｉｎｇ  ｒｅｓｐｏｎｄｅｒ’ｓ  ｒｅｃｅｉｖｅ  ＤＭＧ  ａｎｔｅｎｎａ／ｓｅｃｔｏｒ  ａｎｄ  ｔｈｅ  ａｓｓｏｃｉａｔｅｄ  ｑｕａｌｉｔｙ  ｉｎｄｉｃａｔｅｄ.）
【０１３６】
開始子は最後に残った応答子からＭＩＭＯ  ＢＦフィードバックフレームを受信した時点よりＭＢＩＦＳ以後のＭＵ−ＭＩＭＯ  ＢＦ選択副段階を開始することができる。ＭＵ−ＭＩＭＯ選択副段階において、開始子はＭＵグループ内の各応答子に「ＭＵ−ＭＩＭＯ  Ｔｒａｎｓｍｉｓｓｉｏｎ  Ｃｏｎｆｉｇｕｒａｔｉｏｎ  Ｔｙｐｅ」が１に設定された１つ以上のＭＩＭＯ  ＢＦ選択フレームを送信することができる。開始子はＭＵグループ内の全ての応答子へ到達可能な最小数のＭＩＭＯ選択フレームを送信することができる。ＭＩＭＯ  ＢＦ選択フレームは、ＤＭＧ制御モードを用いて送信することができる。（Ｔｈｅ  ｉｎｉｔｉａｔｏｒ  ｓｈａｌｌ  ｉｎｉｔｉａｔｅ  ｔｈｅ  ＭＵ−ＭＩＭＯ  ＢＦ  ｓｅｌｅｃｔｉｏｎ  ｓｕｂｐｈａｓｅ  ａｎ  ＭＢＩＦＳ  ｆｏｌｌｏｗｉｎｇ  ｒｅｃｅｐｔｉｏｎ  ｏｆ  ｔｈｅ  ＭＩＭＯ  ＢＦ  Ｆｅｅｄｂａｃｋ  ｆｒａｍｅ  ｆｒｏｍ  ｔｈｅ  ｌａｓｔ  ｒｅｍａｉｎｉｎｇ  ｒｅｓｐｏｎｄｅｒ.  Ｉｎ  ｔｈｅ  ＭＵ−ＭＩＭＯ  ＢＦ  ｓｅｌｅｃｔｉｏｎ  ｓｕｂｐｈａｓｅ,  ｔｈｅ  ｉｎｉｔｉａｔｏｒ  ｓｈａｌｌ  ｔｒａｎｓｍｉｔ  ｏｎｅ  ｏｒ  ｍｏｒｅ  ＭＩＭＯ  ＢＦ  Ｓｅｌｅｃｔｉｏｎ  ｆｒａｍｅｓ  ｗｉｔｈ  ｔｈｅ  ＭＵ−ＭＩＭＯ  Ｔｒａｎｓｍｉｓｓｉｏｎ  Ｃｏｎｆｉｇｕｒａｔｉｏｎ  Ｔｙｐｅ  ｓｅｔ  ｔｏ  １  ｔｏ  ｅａｃｈ  ｒｅｓｐｏｎｄｅｒ  ｉｎ  ｔｈｅ  ＭＵ  ｇｒｏｕｐ.  Ｔｈｅ  ｉｎｉｔｉａｔｏｒ  ｓｈｏｕｌｄ  ｔｒａｎｓｍｉｔ  ｔｈｅ  ｍｉｎｉｍｕｍ  ｎｕｍｂｅｒ  ｏｆ  ＭＩＭＯ  ＢＦ  Ｓｅｌｅｃｔｉｏｎ  ｆｒａｍｅｓ  ｔｏ  ｒｅａｃｈ  ａｌｌ  ｒｅｓｐｏｎｄｅｒｓ  ｉｎ  ｔｈｅ  ＭＵ  ｇｒｏｕｐ.  Ｔｈｅ  ＭＩＭＯ  ＢＦ  Ｓｅｌｅｃｔｉｏｎ  ｆｒａｍｅｓ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ.）
【０１３７】
ＭＵ−ＭＩＭＯ  ＢＦ選択副段階において、開始子はＭＵ−ＭＩＭＯ  ＢＦトレーニング、ＭＵ送信設定の１つ以上のセット及び各々のＭＵ送信設定のための意図された受信ＳＴＡを識別するｄｉａｌｏｇ  ｔｏｋｅｎを含むＭＵグループ内の各々の応答子にＭＩＭＯ  ＢＦ選択フレームを送信する。（Ｉｎ  ｔｈｅ  ＭＵ−ＭＩＭＯ  ＢＦ  ｓｅｌｅｃｔｉｏｎ  ｓｕｂｐｈａｓｅ,  ｔｈｅ  ｉｎｉｔｉａｔｏｒ  ｓｈａｌｌ  ｔｒａｎｓｍｉｔ  ａ  ＭＩＭＯ  ＢＦ  Ｓｅｌｅｃｔｉｏｎ  ｆｒａｍｅ  ｔｏ  ｅａｃｈ  ｒｅｓｐｏｎｄｅｒ  ｉｎ  ｔｈｅ  ＭＵ  ｇｒｏｕｐ  ｃｏｎｔａｉｎｉｎｇ  ｔｈｅ  ｄｉａｌｏｇ  ｔｏｋｅｎ  ｉｄｅｎｔｉｆｙｉｎｇ  ｔｈｅ  ＭＵ−ＭＩＭＯ  ＢＦ  ｔｒａｉｎｉｎｇ,  ｏｎｅ  ｏｒ  ｍｕｌｔｉｐｌｅ  ｓｅｔｓ  ｏｆ  ｔｈｅ  ＭＵ  ｔｒａｎｓｍｉｓｓｉｏｎ  ｃｏｎｆｉｇｕｒａｔｉｏｎｓ,  ａｎｄ  ｔｈｅ  ｉｎｔｅｎｄｅｄ  ｒｅｃｉｐｉｅｎｔ  ＳＴＡｓ  ｆｏｒ  ｅａｃｈ  ＭＵ  ｔｒａｎｓｍｉｓｓｉｏｎ  ｃｏｎｆｉｇｕｒａｔｉｏｎ.）
【０１３８】
ＭＩＭＯ  ＢＦ選択フレームに含まれたＭＵグループ内の選択された応答子の最後のセットは、意図された応答子の最初セットと同一である必要はない。（Ｔｈｅ  ｆｉｎａｌ  ｓｅｔ  ｏｆ  ｓｅｌｅｃｔｅｄ  ｒｅｓｐｏｎｄｅｒｓ  ｉｎ  ｔｈｅ  ＭＵ  ｇｒｏｕｐ  ｃｏｎｔａｉｎｅｄ  ｉｎ  ｔｈｅ  ＭＩＭＯ  ＢＦ  Ｓｅｌｅｃｔｉｏｎ  ｆｒａｍｅ  ｄｏｅｓ  ｎｏｔ  ｈａｖｅ  ｔｏ  ｂｅ  ｔｈｅ  ｓａｍｅ  ａｓ  ｔｈｅ  ｉｎｉｔｉａｌ  ｓｅｔ  ｏｆ  ｉｎｔｅｎｄｅｄ  ｒｅｓｐｏｎｄｅｒｓ.）開始子は最少数のＭＩＭＯ  ＢＦ選択フレームを選択された応答子へ送信する。（Ｔｈｅ  ｉｎｉｔｉａｔｏｒ  ｓｈｏｕｌｄ  ｔｒａｎｓｍｉｔ  ｔｈｅ  ｍｉｎｉｍｕｍ  ｎｕｍｂｅｒ  ｏｆ  ＭＩＭＯ  ＢＦ  Ｓｅｌｅｃｔｉｏｎ  ｆｒａｍｅｓ  ｔｏ  ｓｅｌｅｃｔｅｄ  ｒｅｓｐｏｎｄｅｒｓ.）
【０１３９】
図１６は、本発明に適用可能な上りリンクＭＩＭＯ段階を簡単に示す図である。
【０１４０】
上りリンクＭＩＭＯ段階は、ＭＵ−ＭＩＭＯ  ＢＦトレーニング区間の長さを縮小させることができる。
【０１４１】
開始子は、以下の条件を満たす場合、上りリンクＭＩＭＯ段階手順を開始することができる。
【０１４２】
−  開始子及び意図する受信子のＥＤＭＧ  Ｃａｐａｂｉｌｉｔｉｅｓ  ｅｌｅｍｅｎｔ内の「ＵＬ  ＭＵ−ＭＩＭＯ  Ｓｕｐｐｏｒｔｅｄ」フィールドが１であり、
【０１４３】
−  開始子のＤＭＧ  Ｃａｐａｂｉｌｉｔｉｅｓ  ｅｌｅｍｅｎｔ内の「Ａｎｔｅｎｎａ  Ｐａｔｔｅｎ  Ｒｅｃｉｐｒｏｃｉｔｙ」フィールドが１である場合
【０１４４】
図１６に示されたように、上りリンクＭＩＭＯ段階は、以下の３つの副段階で構成することができる：ＭＵ−ＭＩＭＯ  ＢＦ設定副段階（ＭＵ−ＭＩＭＯ  ＢＦ  ｓｅｔｕｐ  ｓｕｂｐｈａｓｅ）、ＭＵ−ＭＩＭＯ  ＢＦトレーニング副段階（ＭＵ−ＭＩＭＯ  ＢＦ  ｔｒａｉｎｉｎｇ  ｓｕｂｐｈａｓｅ）、及びＭＵ−ＭＩＭＯ選択副段階（ＭＵ−ＭＩＭＯ  ｓｅｌｅｃｔｉｏｎ  ｓｕｂｐｈａｓｅ）。各々の副段階はＭＢＩＦＰＳによって区分される。
【０１４５】
ここで、ＭＵ−ＭＩＭＯ  ＢＦトレーニング副段階は、条件によってはＭＩＭＯ段階に存在しなくてもよい。
【０１４６】
ＭＵ−ＭＩＭＯ  ＢＦ設定副段階において、開始子は「ＳＵ／ＭＵ」フィールドが０に設定されて「ＤＬ／ＵＬ  ＭＵ−ＭＩＭＯ  Ｐｈａｓｅ」フィールドが０に設定された１つ以上のＭＩＭＯ  ＢＦ設定フレームをＭＵグループ内の各々の応答子へ送信することができる。特に、チャネル結合の場合、開始子は「Ａｇｇｒｅｇａｔｉｏｎ  Ｒｅｑｕｅｓｔｅｄ」フィールドが１に設定された１つ以上のＭＩＭＯ  ＢＦ設定フレームをＭＵグループ内の各々の応答子へ送信することができる。開始子はＭＵグループ内の全ての応答子へ到達可能な最小数のＭＩＭＯ  ＢＦ設定フレームを送信することができる。（Ｉｎ  ｔｈｅ  ＭＵ−ＭＩＭＯ  ＢＦ  ｓｅｔｕｐ  ｓｕｂｐｈａｓｅ,  ｔｈｅ  ｉｎｉｔｉａｔｏｒ  ｓｈａｌｌ  ｔｒａｎｓｍｉｔ  ｏｎｅ  ｏｒ  ｍｏｒｅ  ＭＩＭＯ  ＢＦ  Ｓｅｔｕｐ  ｆｒａｍｅ  ｗｉｔｈ  ｔｈｅ  ＳＵ／ＭＵ  ｆｉｅｌｄ  ｓｅｔ  ｔｏ  ０  ａｎｄ  ｔｈｅ  ＤＬ／ＵＬ  ＭＵ−ＭＩＭＯ  Ｐｈａｓｅ  ｆｉｅｌｄ  ｓｅｔ  ｔｏ  ０  ｔｏ  ｅａｃｈ  ｒｅｓｐｏｎｄｅｒ  ｉｎ  ｔｈｅ  ＭＵ  ｇｒｏｕｐ.  Ｉｎ  ｃｈａｎｎｅｌ  ａｇｇｒｅｇａｔｉｏｎ,  ｔｈｅ  ｉｎｉｔｉａｔｏｒ  ｓｈａｌｌ  ｓｅｎｄ  ｏｎｅ  ｏｒ  ｍｏｒｅ  ＭＩＭＯ  ＢＦ  Ｓｅｔｕｐ  ｆｒａｍｅ  ｗｉｔｈ  ｔｈｅ  Ａｇｇｒｅｇａｔｉｏｎ  Ｒｅｑｕｅｓｔｅｄ  ｆｉｅｌｄ  ｓｅｔ  ｔｏ  １  ｔｏ  ｅａｃｈ  ｒｅｓｐｏｎｄｅｒ  ｉｎ  ｔｈｅ  ＭＵ  ｇｒｏｕｐ.  Ｔｈｅ  ｉｎｉｔｉａｔｏｒ  ｓｈｏｕｌｄ  ｔｒａｎｓｍｉｔ  ｔｈｅ  ｍｉｎｉｍｕｍ  ｎｕｍｂｅｒ  ｏｆ  ＭＩＭＯ  ＢＦ  Ｓｅｔｕｐ  ｆｒａｍｅｓ  ｔｏ  ｒｅａｃｈ  ａｌｌ  ｒｅｓｐｏｎｄｅｒｓ  ｉｎ  ｔｈｅ  ＭＵ  ｇｒｏｕｐ.）
【０１４７】
ＭＩＭＯ  ＢＦ設定フレームは、ＤＭＧ制御モード又はＤＭＧ制御変調クラスと共に送信される非−ＥＤＭＧ複製ＰＰＤＵを用いて送信することができる。（Ｔｈｅ  ＭＩＭＯ  ＢＦ  Ｓｅｔｕｐ  ｆｒａｍｅｓ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ  ｏｒ  ｕｓｉｎｇ  ａ  ｎｏｎ−ＥＤＭＧ  ｄｕｐｌｉｃａｔｅ  ＰＰＤＵ  ｔｒａｎｓｍｉｔｔｅｄ  ｗｉｔｈ  ｔｈｅ  ＤＭＧ  ｃｏｎｔｒｏｌ  ｍｏｄｕｌａｔｉｏｎ  ｃｌａｓｓ.）
【０１４８】
開始子はＭＩＭＯ  ＢＦ設定フレームの送信時点よりＭＢＩＦＳ以後のＭＵ−ＭＩＭＯ  ＢＦトレーニング副段階を開始することができる。ＭＵ−ＭＩＭＯ  ＢＦトレーニング副段階において、開始子は「Ｐｏｌｌ  Ｔｙｐｅ」フィールドが１に設定されたＭＩＭＯ  ＢＦポールフレームをＭＵグループ内の残りの応答子の各々に送信することができる。各々のＭＩＭＯ  ＢＦフレームは、ＤＭＧ制御モード又はＤＭＧ制御変調クラスと共に送信される非−ＥＤＭＧ複製ＰＰＤＵを用いて送信することができる。（Ｔｈｅ  ｉｎｉｔｉａｔｏｒ  ｓｈａｌｌ  ｉｎｉｔｉａｔｅ  ａｎ  ＭＵ−ＭＩＭＯ  ＢＦ  ｔｒａｉｎｉｎｇ  ｓｕｂｐｈａｓｅ  ａ  ＭＢＩＦＳ  ｆｏｌｌｏｗｉｎｇ  ｔｈｅ  ｔｒａｎｓｍｉｓｓｉｏｎ  ｏｆ  ｔｈｅ  ＭＩＭＯ  ＢＦ  Ｓｅｔｕｐ  ｆｒａｍｅ.  Ｉｎ  ｔｈｅ  ＭＵ−ＭＩＭＯ  ＢＦ  ｔｒａｉｎｉｎｇ  ｓｕｂｐｈａｓｅ,  ｔｈｅ  ｉｎｉｔｉａｔｏｒ  ｓｈａｌｌ  ｔｒａｎｓｍｉｔ  ａ  ＭＩＭＯ  ＢＦ  Ｐｏｌｌ  ｆｒａｍｅ  ｗｉｔｈ  ｔｈｅ  Ｐｏｌｌ  Ｔｙｐｅ  ｆｉｅｌｄ  ｓｅｔ  ｔｏ  １  ｔｏ  ｅａｃｈ  ｒｅｍａｉｎｉｎｇ  ｒｅｓｐｏｎｄｅｒ  ｉｎ  ｔｈｅ  ＭＵ  ｇｒｏｕｐ.  Ｅａｃｈ  ＭＩＭＯ  ＢＦ  Ｐｏｌｌ  ｆｒａｍｅ  ｓｈｏｕｌｄ  ｂｅ  ｓｅｎｔ  ｕｓｉｎｇ  ｔｈｅ  ＤＭＧ  ｃｏｎｔｒｏｌ  ｍｏｄｅ  ｏｒ  ｕｓｉｎｇ  ａ  ｎｏｎ−ＥＤＭＧ  ｄｕｐｌｉｃａｔｅ  ＰＰＤＵ  ｔｒａｎｓｍｉｔｔｅｄ  ｗｉｔｈ  ｔｈｅ  ＤＭＧ  ｃｏｎｔｒｏｌ  ｍｏｄｕｌａｔｉｏｎ  ｃｌａｓｓ.）
【０１４９】
残りの応答子が受信子とするＭＩＭＯ  ＢＦポールフレームを受信した場合、ＴＸＶＥＣＴＯＲパラメータＥＤＭＧ＿ＴＲＮ＿ＬＥＮが０より大きく設定され、パラメータＲＸ＿ＴＲＮ＿ＰＥＲ＿ＴＸ＿ＴＲＮ、ＥＤＭＧ＿ＴＲＮ＿Ｍ及びＥＤＭＧ＿ＴＲＮ＿ＰがＬ−ＴＸ−ＲＸフィールドの値に設定され、対応するＭＩＭＯ  ＢＦポールフレームにおいてＲｅｑｕｅｓｔｅｄ  ＥＤＭＧ  ＴＲＮ−Ｕｎｉｔ  Ｍフィールド及びＲｅｑｕｅｓｔｅｄ  ＥＤＭＧ  ＴＲＮ−Ｕｎｉｔ  Ｐフィールドのそれぞれが受信される場合、応答子は開始子に１つ以上のＥＤＭＧ  ＢＲＰ−ＲＸ／ＴＸパケットを送信することができる。特に、チャネル結合の場合、各々のＥＤＭＧ  ＢＲＰ−ＲＸ／ＴＸパケットは、非−ＥＤＭＧ複製フォーマットを用いて送信することができる。（Ｕｐｏｎ  ｒｅｃｅｉｖｉｎｇ  ａ  ＭＩＭＯ  ＢＦ  Ｐｏｌｌ  ｆｒａｍｅ  ｆｏｒ  ｗｈｉｃｈ  ａ  ｒｅｍａｉｎｉｎｇ  ｒｅｓｐｏｎｄｅｒ  ｉｓ  ｔｈｅ  ａｄｄｒｅｓｓｅｄ  ｒｅｃｉｐｉｅｎｔ,  ｔｈｅ  ｒｅｓｐｏｎｄｅｒ  ｓｈａｌｌ  ｔｒａｎｓｍｉｔ  ｏｎｅ  ｏｒ  ｍｏｒｅ  ＥＤＭＧ  ＢＲＰ−ＲＸ／ＴＸ  ｐａｃｋｅｔ  ｔｏ  ｔｈｅ  ｉｎｉｔｉａｔｏｒ,  ｗｈｅｒｅ  ｔｈｅ  ＴＸＶＥＣＴＯＲ  ｐａｒａｍｅｔｅｒ  ＥＤＭＧ＿ＴＲＮ＿ＬＥＮ  ｉｓ  ｓｅｔ  ｔｏ  ａ  ｖａｌｕｅ  ｌａｒｇｅｒ  ｔｈａｎ  ｚｅｒｏ,  ａｎｄ  ｔｈｅ  ｐａｒａｍｅｔｅｒｓ  ＲＸ＿ＴＲＮ＿ＰＥＲ＿ＴＸ＿ＴＲＮ,  ＥＤＭＧ＿ＴＲＮ＿Ｍ  ａｎｄ  ＥＤＭＧ＿ＴＲＮ＿Ｐ  ａｒｅ  ｓｅｔ  ｔｏ  ｔｈｅ  ｖａｌｕｅｓ  ｏｆ  ｔｈｅ  Ｌ−ＴＸ−ＲＸ  ｆｉｅｌｄ,  ｔｈｅ  Ｒｅｑｕｅｓｔｅｄ  ＥＤＭＧ  ＴＲＮ−Ｕｎｉｔ  Ｍ  ｆｉｅｌｄ  ａｎｄ  ｔｈｅ  Ｒｅｑｕｅｓｔｅｄ  ＥＤＭＧ  ＴＲＮ−Ｕｎｉｔ  Ｐ  ｆｉｅｌｄ  ｉｎ  ｔｈｅ  ｃｏｒｒｅｓｐｏｎｄｉｎｇ  ＭＩＭＯ  ＢＦ  Ｐｏｌｌ  ｆｒａｍｅ  ｒｅｃｅｉｖｅｄ  ｆｒｏｍ  ｔｈｅ  ｉｎｉｔｉａｔｏｒ,  ｒｅｓｐｅｃｔｉｖｅｌｙ.  Ｉｎ  ｃｈａｎｎｅｌ  ａｇｇｒｅｇａｔｉｏｎ,  ｅａｃｈ  ＥＤＭＧ  ＢＲＰ−ＲＸ／ＴＸ  ｐａｃｋｅｔｓ  ｓｈａｌｌ  ｂｅ  ｔｒａｎｓｍｉｔｔｅｄ  ｕｓｉｎｇ  ｔｈｅ  ｎｏｎ−ＥＤＭＧ  ｄｕｐｌｉｃａｔｅ  ｆｏｒｍａｔ.）
【０１５０】
さらに、応答子はＴＲＮサブフィールドを用いて同時に多重ＴＸ  ＤＭＧアンテナをトレーニングするために、各々のＥＤＭＧ  ＢＲＰ−ＲＸ／Ｘパケットを送信することで、トレーニング時間を短縮させることができる。各々のＥＭＤＧ  ＢＲＰ−ＲＸ／ＴＸパケットの「ＴＸ  Ａｎｔｅｎｎａ  Ｍａｓｋ」フィールドは、ＥＤＭＧ  ＢＲＰ−ＲＸ／ＴＸパケットを送信するために応答子によって用いられるＴＸ  ＤＭＧアンテナを指示することができる。各々のＥＤＭＧ  ＢＲＰ−ＲＸ／ＴＸパケットの「ＢＲＰ  ＣＤＯＷＮ」フィールドは、応答子によって送信される残りのＥＤＭＧ  ＢＲＰ  ＲＸ／ＴＸパケットの数を指示することができる。（Ａｄｄｉｔｉｏｎａｌｌｙ,  ｔｈｅ  ｒｅｓｐｏｎｄｅｒ  ｍａｙ  ｔｒａｎｓｍｉｔ  ｅａｃｈ  ＥＤＭＧ  ＢＲＰ−ＲＸ／ＴＸ  ｐａｃｋｅｔ  ｔｏ  ｔｒａｉｎ  ｍｕｌｔｉｐｌｅ  ＴＸ  ＤＭＧ  ａｎｔｅｎｎａｓ  ｓｉｍｕｌｔａｎｅｏｕｓｌｙ  ｕｓｉｎｇ  ＴＲＮ  ｓｕｂｆｉｅｌｄｓ  ｔｏ  ｒｅｄｕｃｅ  ｔｈｅ  ｔｒａｉｎｉｎｇ  ｔｉｍｅ.  Ｔｈｅ  ＴＸ  Ａｎｔｅｎｎａ  Ｍａｓｋ  ｆｉｅｌｄ  ｏｆ  ｅａｃｈ  ＥＤＭＧ  ＢＲＰ−ＲＸ／ＴＸ  ｐａｃｋｅｔ  ｓｈａｌｌ  ｉｎｄｉｃａｔｅ  ｔｈｅ  ＴＸ  ＤＭＧ  ａｎｔｅｎｎａ（ｓ）  ｗｈｉｃｈ  ｉｓ  ｂｅｉｎｇ  ｕｓｅｄ  ｂｙ  ｔｈｅ  ｒｅｓｐｏｎｄｅｒ  ｔｏ  ｔｒａｎｓｍｉｔ  ｔｈｅ  ＥＤＭＧ  ＢＲＰ−ＲＸ／ＴＸ  ｐａｃｋｅｔ.  Ｔｈｅ  ＢＲＰ  ＣＤＯＷＮ  ｆｉｅｌｄ  ｏｆ  ｅａｃｈ  ＥＤＭＧ  ＢＲＰ−ＲＸ／ＴＸ  ｐａｃｋｅｔ  ｓｈａｌｌ  ｉｎｄｉｃａｔｅ  ｔｈｅ  ｎｕｍｂｅｒ  ｏｆ  ｒｅｍａｉｎｉｎｇ  ＥＤＭＧ  ＢＲＰ  ＲＸ／ＴＸ  ｐａｃｋｅｔｓ  ｔｏ  ｂｅ  ｔｒａｎｓｍｉｔｔｅｄ  ｂｙ  ｔｈｅ  ｒｅｓｐｏｎｄｅｒ.）
【０１５１】
以下、上述したＳＵ／ＭＵ  ＭＩＭＯのためのビームフォーミング手順に適用可能なＭＩＭＯ段階をまとめる。
【０１５２】
図１４〜図１６に示されたように、開始子はＳＵ／ＭＵ  ＭＩＭＯ  ＢＦの設定のために、ＭＩＭＯ  ＢＦ設定フレームを応答子へ送信する。上述したように、開始子はＭＩＭＯ  ＢＦ設定フレームの「ＳＵ／ＭＵ」フィールド値を用いてＳＵ−ＭＩＭＯのためのＢＦ設定又はＭＵ−ＭＩＭＯのためのＢＦ設定を応答子に要請することができる。特に、開始子はＭＩＭＯ  ＢＦ設定フレームの「ＭＩＭＯ  ＦＢＣＫ−ＲＥＱ」フィールドを介して「Ｌｉｎｋ  Ｔｙｐｅ」によって特定されるリンクのためのチャネル測定フィードバックを応答子に要請することができる。この場合、ＭＩＭＯ  ＢＦ設定フレームはＴＲＮフィールドなく送信することができる。
【０１５３】
３．本発明が適用可能な実施例
【０１５４】
以下、上述した下りリンクＭＩＭＯビームフォーミング手順におけるＭＵ−ＭＩＭＯ  ＢＦトレーニング副段階の間にＰＣＰ／ＡＰが同時に複数のＳＴＡのビームフォーミングを支援する具体的な方法及びこれに対応してＳＴＡがビームフォーミングを行う方法について詳細に説明する。
【０１５５】
先ず、ＭＩＭＯビームフォーミング手順に参加するＳＴＡは、上述の関係形成（ａｓｓｏｃｉａｔｉｏｎ）段階においてＥＤＭＧ  Ｇｒｏｕｐ  Ｓｅｔ  Ｅｌｅｍｅｎｔに含まれているＳＴＡに対応する。この場合、ＥＤＭＧ  Ｇｒｏｕｐ  Ｓｅｔ  Ｅｌｅｍｅｎｔは複数のグループを含み、各グループは複数のＳＴＡに対するＡＩＤ（Ａｓｓｏｃｉａｔｉｏｎ  Ｉｄｅｎｔｉｆｉｅｒ）を含むことができる。
【０１５６】
ＭＩＭＯビームフォーミング手順に参加するＳＴＡは、ＤＭＧビーコン又は放送（Ａｎｎｏｕｎｃｅ）フレームで送信されるＥＤＭＧ  Ｇｒｏｕｐ  ＩＤ  Ｓｅｔ  ｅｌｅｍｅｎｔによって決定できる。ここで、ＥＤＭＧ  Ｇｒｏｕｐ  ＩＤ  Ｓｅｔ  ｅｌｅｍｅｎｔはＰＣＰ／ＡＰに、ＤＬ  ＭＵ−ＭＩＭＯを送信するためのＭＵ可能なＥＤＭＧ  ＳＴＡのグループを定義せしめる。（Ｔｈｅ  ＥＤＭＧ  Ｇｒｏｕｐ  ＩＤ  Ｓｅｔ  ｅｌｅｍｅｎｔ  ａｌｌｏｗｓ  ａｎ  ＡＰ  ｏｒ  ＰＣＰ  ｔｏ  ｄｅｆｉｎｅ  ｇｒｏｕｐｓ  ｏｆ  ＭＵ  ｃａｐａｂｌｅ  ＥＤＭＧ  ＳＴＡｓ  ｔｏ  ｐｅｒｆｏｒｍ  ＤＬ  ＭＵ−ＭＩＭＯ  ｔｒａｎｓｍｉｓｓｉｏｎｓ.）
【０１５７】
本発明に係るＥＤＭＧ  Ｇｒｏｕｐ  ＩＤ  Ｓｅｔ  ｅｌｅｍｅｎｔは、以下のようなフォーマットで構成することができる。
【０１５８】
2020528715.tif 000004
【０１５９】
この場合、各々のＥＤＭＧ  Ｇｒｏｕｐフィールドは、以下のようなフォーマットで構成することができる。
【０１６０】
2020528715.tif 000005
【０１６１】
或いは、各々のＥＤＭＧ  Ｇｒｏｕｐフィールドは、以下のようなフォーマットで構成することもできる。
【０１６２】
2020528715.tif 000006
【０１６３】
また、上述したように、開始子はＭＵ−ＭＩＭＯ  ＢＦトレーニング副段階の間にＭＵ−ＭＩＭＯ  ＢＦに参加する複数の応答子に対して同時にビームフォーミングトレーニングを支援することができる。そのために、ＢＲＰフレームが用いられ、ビームフォーミングトレーニングはＴＲＰフィールドを介して行われることができる。
【０１６４】
但し、従来には、開始子が全ての端末ではない特定のＳＴＡのみに対して同時にビームフォーミングを実行（又は、支援）する具体的な方法を全く開示していない。ここで、特定のＳＴＡとは、特定のＥＤＭＧ  Ｇｒｏｕｐ  ＩＤに含まれるＳＴＡを意味してもよい。
【０１６５】
ここで、本発明では、従来とは異なり、開始子が特定のＳＴＡのみに対して同時にビームフォーミングを実行（又は、支援）するための具体的な信号の送受信方法及びこれに基づくビームフォーミング実行／支援方法について詳細に説明する。
【０１６６】
３．１．第１の方法
【０１６７】
ＭＩＭＯ  ＢＦトレーニング副段階において、開始子はＥＤＭＧ  Ｇｒｏｕｐ  ＩＤに属するＳＴＡのＡＩＤ及び／又はＥＤＭＧ  Ｇｒｏｕｐ  ＩＤに関する情報を含むＢＲＰフレームを送信することができる。
【０１６８】
ここで、ＢＲＰフレームは、以下のようなＥＤＭＧ  ＢＲＰ  Ｒｅｑｕｅｓｔ  ｅｌｅｍｅｎｔフォーマットを含むことができる。
【０１６９】
2020528715.tif 000007
【０１７０】
本発明によれば、上述のようなＥＤＭＧ  ＢＲＰ  Ｒｅｑｕｅｓｔ  ｅｌｅｍｅｎｔフォーマットを構成するビットサイズをより大きくして、以下のようなフィールドを追加することができる。
【０１７１】
2020528715.tif 000008
【０１７２】
よって、ＢＲＰフレームを受信したＳＴＡは、ＢＲＰフレーム内のＥＤＭＧ  Ｇｒｏｕｐ  ＩＤとＡＩＤをデコードし、自身のＡＩＤ情報が含まれるか否かを判断して、含まれる場合には該当ＭＩＭＯ  ＢＦトレーニング副段階の間にビームフォーミングトレーニングを行う。
【０１７３】
これとは異なり、新しいＥＤＭＧ  ＢＲＰ専用フレームが新たに定義されてもよい。この場合、新しいＥＤＭＧ  ＢＲＰ専用フレームが、上述したＥＤＭＧ  Ｇｒｏｕｐ  ＩＤ及びＡＩＤ  Ｎフィールドを含むことで、応答子にＭＩＭＯ  ＢＦトレーニングに参加するＳＴＡに関する識別情報をＥＤＭＧ  Ｇｒｏｕｐ  ＩＤとＡＩＤによって知らせることができる。
【０１７４】
３．２．第２の方法
【０１７５】
開始子はＭＵ用ＰＰＤＵ内のＥＤＭＧ  Ｈｅａｄｅｒ−Ａフィールドを介してＭＩＭＯ  ＢＦトレーニングに参加するＳＴＡのＡＩＤを知らせることができる。
【０１７６】
図１７は、本発明に適用可能なＭＵ用ＰＰＤＵ内のＥＤＭＧ  Ｈｅａｄｅｒ−Ａフィールドに含まれるフィールドを示す図である。
【０１７７】
図１７に示されたように、ＭＵ用ＰＰＤＵ内のＥＤＭＧ  Ｈｅａｄｅｒ−Ａフィールドは、最大８つのＳＴＡへのＳＳ（Ｓｐａｔｉａｌ  Ｓｔｒｅａｍ）割り当てを示すＳＳディスクリプターセット（ＳＳ  Ｄｅｓｃｒｉｐｔｏｒ  Ｓｅｔ）を含む。ここで、開始子はＥＤＭＧ  Ｈｅａｄｅｒ−ＡのＳＳ  Ｄｅｓｃｒｉｐｔｏｒ  Ｓｅｔによって該当区間にＭＩＭＯ  ＢＦトレーニングに参加するＳＴＡのＡＩＤを知らせることができる。
【０１７８】
この場合、各々のＳＳ  Ｄｅｓｃｒｉｐｔｏｒ  Ｓｅｔフィールドは、以下のように構成することができる。
【０１７９】
2020528715.tif 000009
【０１８０】
この場合、各々のＳＳ  Ｄｅｓｃｒｉｐｔｏｒ  ＳｅｔフィールドにおけるＮｕｍｂｅｒ  ｏｆ  ＳＳフィールドの値は０に設定することができる。
【０１８１】
また、上述のようなＥＤＭＧ  Ｈｅａｄｅｒ−Ａフィールドを含むＰＰＤＵがＭＵ用ＰＰＤＵであるが、開始子はＭＵ用ＰＰＤＵを単一ストリーム（ｓｉｎｇｌｅ  ｓｔｒｅａｍ）を用いて送信し、ＰＰＤＵ内のＥＤＭＧ  Ｈｅａｄｅｒ−Ｂで知らせるＭＣＳ（Ｍｏｄｕｌａｔｉｏｎ  ａｎｄ  Ｃｏｄｉｎｇ  Ｓｃｈｅｍｅ）と長さ（ｌｅｎｇｔｈ）値はいずれも同一に設定することができる。
【０１８２】
このような方法により、開始子は特定のＳＴＡのための同じ情報のＢＲＰフレームを特定のＳＴＡのみに伝達することができる。
【０１８３】
よって、受信されたＭＵ用ＰＰＤＵが単一ストリームを用いて送信され、ＰＰＤＵ内のＥＤＭＧ  Ｈｅａｄｅｒ−Ｂフィールドでいずれも同一のＭＣＳ及び長さ値を示す場合、該当ＢＲＰフレームを受信した応答子は、ＰＰＤＵ内のＥＤＭＧ  Ｈｅａｄｅｒ−Ａフィールドに含まれたＳＳ  Ｄｅｓｃｒｉｐｔｏｒ  Ｓｅｔフィールドが自身のＡＩＤを指示するかを検出することで、該当区間内のＭＩＭＯ  ＢＦトレーニングの参加を判断することができる。
【０１８４】
３．３．第３の方法
【０１８５】
開始子は、ＭＩＭＯ  ＢＦトレーニング副段階の間にＢＲＰフレーム（又は、ＢＲＰフレームを含むＰＰＤＵ）のＴＡとＲＡの値を開始子のＭＡＣ（Ｍｅｄｉｕｍ  Ａｃｃｅｓｓ  Ｃｏｎｔｒｏｌ）アドレスに設定して送信することができる。
【０１８６】
より具体的に、上述したように、ＭＵ−ＭＩＭＯ  ＢＦトレーニングを行う前にＭＵ−ＭＩＭＯ  ＢＦ設定副段階が存在する。
【０１８７】
ここで、ＭＵ−ＭＩＭＯ  ＢＦ設定副段階において開始子がＭＵ−ＭＩＭＯ  ＢＦトレーニングに参加する特定のＳＴＡのＡＩＤ及びＧｒｏｕｐ  ＩＤを知らせて、ビームフォーミングの全区間に対するＴＸＯＰ（Ｔｒａｎｓｍｉｓｓｉｏｎ  Ｏｐｐｏｒｔｕｎｉｔｙ）を確保することができる。
【０１８８】
この場合、ＭＵ−ＭＩＭＯ  ＢＦトレーニング副段階において開始子はＴＡ値とＲＡ値を開始子のＭＡＣアドレス値に設定したＢＲＰ  ＰＰＤＵを送信することができる。
【０１８９】
これに対応して、ＭＵ−ＭＩＭＯ  ＢＦ設定副段階において（ＭＵ−ＭＩＭＯ  ＢＦトレーニングに参加することに）決定されたＳＴＡは、ＭＵ−ＭＩＭＯ  ＢＦトレーニング副段階の間にＴＡ値とＲＡ値が開始子のＭＡＣアドレス値に設定されたＢＲＰ  ＰＰＤＵを受信すると、ビームフォーミングトレーニングを行うことができる。
【０１９０】
より具体的に、ＭＵ−ＭＩＭＯ  ＢＦ設定副段階において（ＭＵ−ＭＩＭＯ  ＢＦトレーニングに参加することに）決定されたＳＴＡは、ＭＵ−ＭＩＭＯ  ＢＦトレーニング副段階の間にＴＡ値とＲＡ値が開始子のＭＡＣアドレス値に設定されたＢＲＰ  ＰＰＤＵを受信すると、ＢＲＰ  ＰＰＤＵがＭＵ−ＭＩＭＯ  ＢＦトレーニングのためのＢＲＰ  ＰＰＤＵであると仮定することができる。ここで、ＳＴＡはＢＲＰ  ＰＰＤＵを用いてＭＩＭＯ  ＢＦトレーニングを行うことができる。
【０１９１】
３．４．第４の方法
【０１９２】
開始子はＭＩＭＯ  ＢＦトレーニング副段階の間に送信されるＢＲＰフレームがＭＵ  ＢＦのためのＢＲＰフレームであることをシグナリングすることができ、応答子はこのシグナリングによって送信されたＢＲＰフレームがＭＩＭＯ  ＢＦトレーニングのためのＢＲＰフレームであるか否かを判断し、ＢＲＰフレームを用いてＭＩＭＯ  ＢＦトレーニングを行うことができる。
【０１９３】
上述したように、ＭＵ−ＭＩＭＯ  ＢＦトレーニングを行う前にＭＵ−ＭＩＭＯ  ＢＦ設定副段階が存在する。
【０１９４】
ここで、ＭＵ−ＭＩＭＯ  ＢＦ設定副段階において開始子がＭＵ−ＭＩＭＯ  ＢＦトレーニングに参加する特定のＳＴＡのＡＩＤ及びＧｒｏｕｐ  ＩＤを知らせて、ビームフォーミングの全区間に対するＴＸＯＰ（Ｔｒａｎｓｍｉｓｓｉｏｎ  Ｏｐｐｏｒｔｕｎｉｔｙ）を確保することができる。
【０１９５】
この場合、ＭＵ−ＭＩＭＯ  ＢＦトレーニング副段階の間に開始子がＢＲＰ  ＰＰＤＵを送信するとき、開始子はＢＲＰフレーム内の予備ビットのうちの１ビットサイズのＭＵ−ＭＩＭＯ  ＢＦフィールドを介して該当ＢＲＰフレームがＭＩＭＯ  ＢＦトレーニングのためのＢＲＰフレームであるか否かをシグナリングすることができる。
【０１９６】
2020528715.tif 000010
【０１９７】
一例として、ＢＲＰフレーム内のＭＵ−ＭＩＭＯ  ＢＦフィールド値が１に設定される場合、該当ＢＲＰフレームがＭＵ−ＭＩＭＯ  ＢＦトレーニングのためのＢＲＰフレームであることを指示することができ、０に設定される場合、一般のＢＲＰフレームであることを指示することができる。
【０１９８】
これに対応して、ＭＵ−ＭＩＭＯ  ＢＦ設定副段階によって（ＭＵ−ＭＩＭＯ  ＢＦトレーニングに参加することに）決定されたＳＴＡは、ＭＵ−ＭＩＭＯ  ＢＦトレーニング副段階の区間においてＭＵ−ＭＩＭＯ  ＢＦフィールドの値が１に設定されたＢＲＰ  ＰＰＤＵを受信すると、ＢＲＰ  ＰＰＤＵを用いてビームフォーミングトレーニングを行うことができる。
【０１９９】
図１８は、本発明によって、開始子及び応答子間のＭＵ−ＭＩＭＯビームフォーミングトレーニングを行う動作を示す図である。
【０２００】
図１８において、開始子は複数の応答子と対応する信号を送受信することができる。但し、説明の便宜のために、図１８では、開始子が複数の応答子のうちの１つの応答子と対応する信号を送受信する具体的な方法を示す。
【０２０１】
開始子はＭＵ−ＭＩＭＯビームフォーミング設定副段階（ＭＩＭＯ  Ｂｅａｍｆｏｒｍｉｎｇ  ｓｅｔｕｐ  ｓｕｂｐｈａｓｅ）において、ＭＵ−ＭＩＭＯビームフォーミングトレーニングに参加するステーション識別情報を含むＭＩＭＯビームフォーミング設定フレームを１つ以上の応答子に送信する（Ｓ１８１０）。
【０２０２】
ここで、ＭＩＭＯビームフォーミング設定フレームに含まれたステーション識別情報は、ＭＵ−ＭＩＭＯビームフォーミングトレーニングに参加するステーションのグループＩＤ（ｉｄｅｎｔｉｆｉｅｒ）情報及びグループＩＤ情報が指示するグループ内のＭＵ−ＭＩＭＯビームフォーミングトレーニングに参加するステーションの識別情報を含むことができる。
【０２０３】
次いで、開始子はＭＵ−ＭＩＭＯビームフォーミングトレーニング副段階（ＭＩＭＯ  ｂｅａｍｆｏｒｍｉｎｇ  ｔｒａｉｎｉｎｇ  ｓｕｂｐｈａｓｅ）において、ＢＲＰ（Ｂｅａｍ  Ｒｅｆｉｎｅｍｅｎｔ  Ｐｒｏｔｏｃｏｌ）フレーム（又は、ＢＲＰパケット）を１つ以上の応答子に送信する（Ｓ１８２０）。
【０２０４】
この場合、ＢＲＰフレーム（又は、ＢＲＰパケット）に含まれたＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドは、ＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスに設定されて送信されることができる。
【０２０５】
上述のようなＢＲＰフレーム（又は、ＢＲＰパケット）を介して、開始子は上述のＭＩＭＯ設定フレームを介して指示された応答子のみがＢＲＰフレーム（又は、ＢＲＰパケット）を用いたＭＩＭＯビームフォーミングトレーニングを行うように誘導することができる。また、上述のようなＢＲＰフレーム（又は、ＢＲＰパケット）を受信したＳＴＡは、送信されたＭＩＭＯ設定フレームがＳＴＡの識別情報を含んでいるか否かを判断し、ＢＲＰフレーム（又は、ＢＲＰパケット）を用いてＭＩＭＯビームフォーミングトレーニングを行うか否かを決定することができる。
【０２０６】
より具体的に、ＭＩＭＯビームフォーミング設定フレームに含まれたステーション識別情報がＳＴＡに対応して、ＢＲＰフレームのＴＡ（Ｔｒａｎｓｍｉｔｔｅｒ  Ａｄｄｒｅｓｓ）フィールド及びＲＡ（Ｒｅｃｅｉｖｅｒ  Ａｄｄｒｅｓｓ）フィールドがＭＩＭＯビームフォーミング設定フレームを送信した開始子（ｉｎｉｔｉａｔｏｒ）のＭＡＣ（Ｍｅｄｉｕｍ  Ａｃｃｅｓｓ  Ｃｏｎｔｒｏｌ）アドレスと同一の場合、応答子はＢＲＰフレームを用いてＭＵ−ＭＩＭＯビームフォーミングトレーニングを行う（Ｓ１８３０）。
【０２０７】
そのために、ＢＲＰフレームはＴＲＮサブフィールドを含むことができる。
【０２０８】
さらに、開始子はＭＵ−ＭＩＭＯビームフォーミングフィードバック副段階において、１つ以上の応答子にＭＵ−ＭＩＭＯビームフォーミングフィードバックを要請するＭＩＭＯビームフォーミングフィードバックポールフレームを送信することができる（Ｓ１８４０）。次いで、ＭＩＭＯビームフォーミングフィードバックポールフレームに応答して、開始子は１つ以上の応答子から先行されたＭＵ−ＭＩＭＯビームフォーミングトレーニングに対するＭＵ−ＭＩＭＯビームフォーミングフィードバックを受信することができる（Ｓ１８５０）。
【０２０９】
４．装置構成
【０２１０】
図１９は、上述のような方法を具現するための装置を説明する図である。
【０２１１】
図１９の無線装置１００は上述した開始子（ｉｎｉｔｉａｔｏｒ）、及び無線装置１５０は上述した応答子（ｒｅｓｐｏｎｄｅｒ）に対応できる。
【０２１２】
この場合、開始子は１１ａｙシステムを支援する１１ａｙ端末又はＰＣＰ／ＡＰに対応でき、応答子は１１ａｙシステムを支援する１１ａｙ端末又はＰＣＰ／ＡＰに対応できる。
【０２１３】
以下、説明の便宜のために、ビームフォーミング手順上の開始子は送信装置１００といい、ビームフォーミング手順上の応答子は受信装置１５０という。
【０２１４】
送信装置１００は、プロセッサー１１０、メモリ１２０、送受信部１３０を含み、受信装置１５０は、プロセッサー１６０、メモリ１７０、送受信部１８０を含む。送受信部１３０，１８０は、無線信号を送信／受信し、ＩＥＥＥ  ８０２．１１／３ＧＰＰなどの物理的階層で実行される。プロセッサー１１０，１６０は、物理階層及び／又はＭＡＣ階層で実行され、送受信部１３０，１８０と接続する。
【０２１５】
プロセッサー１１０，１６０及び／又は送受信部１３０，１８０は、特定の集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、他のチップセット、論理回路及び／又はデータプロセッサーを含む。メモリ１２０，１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、記憶媒体及び／又はその他の記憶ユニットを含むことができる。一実施例がソフトウェアで実行される場合、上述した方法は、上述した機能を果たすモジュール（例えば、プロセス、機能）として行われてもよい。モジュールは、メモリ１２０，１７０に記憶され、プロセッサー１１０，１６０によって実行される。メモリ１２０，１７０は、プロセッサー１１０，１６０の内部又は外部に取り付けられ、公知手段によってプロセッサー１１０，１６０と接続する。
【０２１６】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２１７】
上述のような本発明は、ＩＥＥＥ  ８０２．１１に基づく無線ＬＡＮシステムに適用することを仮定して説明したが、これに限定されない。本発明は、チャネルボンディングに基づいてデータ送信が可能な様々な無線システムに同様な方式で適用することができる。
【図１】
2020528715.tif 000011
【図２】
2020528715.tif 000012
【図３】
2020528715.tif 000013
【図４】
2020528715.tif 000014
【図５】
2020528715.tif 000015
【図６】
2020528715.tif 000016
【図７】
2020528715.tif 000017
【図８】
2020528715.tif 000018
【図９】
2020528715.tif 000019
【図１０】
2020528715.tif 000020
【図１１】
2020528715.tif 000021
【図１２】
2020528715.tif 000022
【図１３】
2020528715.tif 000023
【図１４】
2020528715.tif 000024
【図１５】
2020528715.tif 000025
【図１６】
2020528715.tif 000026
【図１７】
2020528715.tif 000027
【図１８】
2020528715.tif 000028
【図１９】
2020528715.tif 000029
【国際調査報告】
2020528715.tif 000030
2020528715.tif 000031
2020528715.tif 000032
2020528715.tif 000033